(57)【要約】      （修正有）【課題】容器本体開口部への蓋の脱着が容易・確実で、外観の体裁も良く、製造も容易でコスト減に資する蓋付き容器の提供。【解決手段】液体を収容可能な容器本体１と、容器本体の口部外周に被せて口部を被覆可能な蓋２とを備える蓋付き容器において、容器本体１と蓋２の双方に磁石１４，１５を設けて、又は、容器本体と蓋の一方に磁石を設け、他方に磁性体を設けるか磁性体製として、容器本体１とそれに被せた蓋２とが磁石の吸引力で吸着固定されるようにした。【選択図】図１
2007191192.tif 000002
【特許請求の範囲】
【請求項１】
液体を収容可能な容器本体と、容器本体の口部外周に被せて口部を被覆可能な蓋とを備え、容器本体の口部に容器本体内の液体を吸引して吐出或は噴霧するポンプを備えた或は備えない蓋付き容器において、容器本体と蓋の双方に磁石を設けて、又は、容器本体と蓋の一方に磁石を設け、他方に磁性体を設けるか磁性体製として、容器本体とそれに被せた蓋とが磁石の吸引力で吸着固定されるようにしたことを特徴とする蓋付き容器。
【請求項２】
液体を収容可能な容器本体と、容器本体の口部外周に被せて口部を被覆可能な蓋とを備え、容器本体の口部に容器本体内の液体を吸引して吐出或は噴霧するポンプを備えた或は備えない蓋付き容器において、容器本体と蓋に磁石が設けられ、両磁石は容器本体に蓋を被せると互いに対向するように設けられ、夫々の磁石は対向面にＮ極とＳ極の両極を備え、容器本体とそれに被せた蓋はそれら磁石の異極同士が対向すると吸着固定され、同極同士が対向すると反発することを特徴とする蓋付き容器。
【請求項３】
請求項１又は請求項２記載の蓋付き容器において、磁石を容器本体或は蓋の内側又は外側に設けたことを特徴とする蓋付き容器。
【発明の詳細な説明】
【技術分野】
【０００１】
本発明は液状化粧品、洗顔液、香水といった各種液体を収容可能な蓋付き容器に関するものである。
【背景技術】
【０００２】
従来の前記蓋付き容器は図１１に示すように、液体を収容可能な容器本体Ａと、容器本体Ａの口部Ｂの外周に被せてその口部Ｂを被覆する蓋Ｃとを備えている。容器によっては容器本体Ａの口部ＢにポンプＤを取り付け、そのポンプＤを指先で押すと容器本体Ａ内の液体がポンプ出口Ｅから吐出或は噴霧されるようにしたものもある。また、ポンプＤの裾の外周又は容器本体Ａの口部Ｂの裾の外周に小さな突起（ダボ）Ｆを突設して、口部Ｂの外周に被せた蓋ＣがダボＦの外側に被さって（ダボＦが蓋Ｃの内側に圧入して）容器本体Ａに固定されるようにしてある。
【発明の開示】
【発明が解決しようとする課題】
【０００３】
従来の蓋付き容器は前記のようにダボを設けて容器本体に被せた蓋を固定するようにしたため次のような課題がある。
（１）蓋を容器本体に着脱するときに蓋がダボの外側に被さるように、蓋を強く押さなければならず面倒であり、押しが中途半端であると蓋の被さりが不十分になる。この場合は、バッグに入れて携帯中に蓋が外れてバッグの内部が汚れるとか、バッグ内に収容されている他の品物が汚れるといった面倒があった。
（２）蓋を容器本体に着脱するときにダボと蓋の内側が擦れて金属粉が発生し、それが容器本体や蓋に付着して付着部分が黒ずむことがあり見栄えが悪くなる。また、容器本体や蓋に付着した金属粉が化粧する手に付着して化粧しにくくなることもある。
（３）蓋を容器本体に着脱するときにダボと蓋の内側の摩擦によって蓋や口部が変色したり、ひび割れしたりして、化粧瓶としての体裁が悪くなる。
（４）ダボの凹凸が化粧瓶の外観を損なう場合もある。
（５）ダボの突出寸度（高さ）が少しでも高いと蓋を脱着し難くなり、少しでも低いと蓋の固定が不十分になって外れ易くなるため、ダボの突出寸度には高精度の加工が求められる。しかし、高精度の加工は手間が掛かり、熟練が必要であり、コスト高になる。
【課題を解決するための手段】
【０００４】
本発明の蓋付き容器は前記した各種課題が無く、しかも、容器本体の開口部への蓋の脱着が容易、確実で、外観の体裁も良く、製造も容易でコスト減にも資するものである。
【０００５】
本件発明の蓋付き容器は、請求項１記載のように、液体を収容可能な容器本体と、容器本体の口部外周に被せて口部を被覆可能な蓋とを備え、容器本体の口部に容器本体内の液体を吸引して吐出或は噴霧するポンプを備えた或は備えない蓋付き容器において、容器本体と蓋の双方に磁石を設けて、又は、容器本体と蓋の一方に磁石を設け、他方に磁性体を設けるか磁性体製として、容器本体とそれに被せた蓋とが磁石の吸引力で吸着固定されるようにした。
【０００６】
本件発明の蓋付き容器は、請求項２記載のように、液体を収容可能な容器本体と、容器本体の口部外周に被せて口部を被覆可能な蓋とを備え、容器本体の口部に容器本体内の液体を吸引して吐出或は噴霧するポンプを備えた或は備えない蓋付き容器において、容器本体と蓋に磁石が設けられ、両磁石は容器本体に蓋を被せると互いに対向するように設けられ、夫々の磁石は対向面にＮ極とＳ極の両極を備え、容器本体とそれに被せた蓋はそれら磁石の異極同士が対向すると吸着固定され、同極同士が対向すると反発するようにした。
【０００７】
本件発明の蓋付き容器は、請求項３記載のように、請求項１又は請求項２記載の蓋付き容器において、磁石を容器本体或は蓋の内側又は外側に設けたものである。
【発明の効果】
【０００８】
本件出願の請求項１、２記載の容器は次のような効果がある。
（１）磁石の吸引力によって容器本体に被せるだけで蓋が容器本体側に吸着固定されて、容器本体の口部を確実に被覆するため、蓋が携帯中に外れてバッグ内が汚れるとか、バッグ内の他の品物が汚れるといったことがない。
（２）容器本体にダボを形成する必要がないため製造が容易であり、製造コストも低減する。
（３）容器本体のダボが不要となるため、蓋とダボとの摩擦が起こらず、金属粉の発生により容器や蓋の変色、ひび割れ等が発生せず、それに伴う諸問題が一切ない。
（４）蓋や容器本体に備えた磁石の磁力によって容器本体に収容されている液体が活性化されたり、改質されたりして、化粧水や香水等の効果が向上することもあり得る。
【０００９】
本件出願の請求項２記載の容器は、容器本体に蓋を被せると互いに対向するように設けられた磁石を対向面にＮ極とＳ極の両極を備えたものとし、容器本体とそれに被せた蓋はそれら磁石の異極同士が対向すると吸着固定され、同極同士が対向すると反発するようにしたので、上記各効果の他に次のような効果もある。
（１）容器本体に被せる蓋を回転させて、容器本体と蓋の磁石の異極同士を対向させれば、磁石の吸引力で蓋が容器本体に吸着固定されるため、容器本体への蓋の吸着固定が容易且つ確実になる。また、容器本体及び蓋に余計な負担が掛からず、容器本体も蓋も長持ちする。
（２）容器本体から取り外す蓋を回転させて、容器本体と蓋の磁石の同極同士を対向させれば、磁石の反発力で蓋が容器本体から押し上げられるため、蓋の取り外しが容易且つ確実になる。また、容器本体及び蓋に余計な負担が掛からず、容器本体も蓋も長持ちする。
【００１０】
本件出願の請求項３記載の容器は上記各効果に加えて次のような効果がある。
（１）磁石を蓋や容器本体の内側に備えた場合は磁石が隠れて外部から見えないため、外観の体裁が良くなる。
（２）磁石を蓋や容器本体の外側に備えた場合は磁石が外部から見えるため、これまでの蓋付き容器とは全く異なる斬新な外観、デザインとなる。
【発明を実施するための最良の形態】
【００１１】
（実施形態１）
本発明の蓋付き容器の実施形態の一例を、図１を参照して詳細に説明する。図１の蓋付き容器は香水や化粧水といった液体を収容する容器本体１とそれに被せる蓋２を備えたものであり、容器本体１はその上部に形成された口部４にポンプ５の装着部６が装着され、ポンプ５のチューブ７が容器本体１内に差込まれ、ポンプ５の頭部のボタン９を指で押すと容器本体１内の液体がチューブ７内に吸引されてボタン９の出口１１から吐出或は噴霧（以下両者をまとめて「噴出」という。）され、前記容器本体１側と蓋２側に夫々磁石１４、１５を取付けて、蓋２を容器本体１の口部４の外側に被せると、容器本体１側の磁石１４と蓋２側の磁石１５とが吸引しあって蓋２が容器本体１に吸着固定されるようにしてある。
【００１２】
容器本体１は上部に細い口部４が形成され、口部４の外周面にネジ４ａが形成されている。容器本体１は液体を収容可能であって、ポンプ５を取付け可能なものであれば、任意のデザイン、大きさのものを用いることができ、材質もガラス製、金属製、樹脂製等の任意の材料製とすることができる。容器本体１に収容する液体は液状、乳液状といったどのようなものでもよい。
【００１３】
ポンプ５は容器本体１内の液体を吸引してボタン９の出口１１から噴出するものであり、原理は既存のこの種のポンプと同様のもの或はそれを改良したものであり、容器本体１の口部４に装着する装着部６内に吸引機構２０が設けられ、吸引機構２０にチューブ７の上部が連結され、チューブ７の下部が装着部６の下方に突出して容器本体１内に差込まれるようにしてあり、吸引機構２０の上部にボタン９が設けられ、そのボタン９を押すと容器本体１内の液体を吸引して、ボタン９の出口１１から液体が噴出されるようにしてある。このポンプ５の装着部６、ボタン９、チューブ７は樹脂製であり、装着部６の外周にポンプカバー８を、ボタン９の外周にボタンカバー１０を被せてある。これらカバー８、１０はアルミ製、他の金属製、他の材質製とすることができ、外周面に塗装や蒸着等の手段で化粧膜が形成されたものを使用することができる。このポンプ５は前記装着部６の内周面に形成されたネジ２１が、容器本体１の口部４のネジ４ａにネジ嵌合されて口部４に装着されている。
【００１４】
前記蓋２は図１に示すように底面開口の縦長円筒形であり、容器本体１の口部４の上から被せると容器本体１に取付けられたポンプ５を被覆できるようにしてある。
【００１５】
図１の容器本体１側の磁石１４はボタンカバー１０の天井内面１０ａに取付けられ、そのボタンカバー１０内にボタン９を圧入固定して磁石１４がボタン９の上方の空間１３内に収容してある。この場合、ボタンカバー１０を例えばアルミ製とか他の非透視材製にして、蓋２を取外しても外部から見えないようにするとか、これとは逆にボタンカバー１０を透明或は半透明の材質製にして蓋２を取外すと外部から見えるようにすることもできる。
【００１６】
図１の蓋２側の磁石１５は蓋２の天井内面２ａに取付けられ、その下に内板１６を圧入固定して磁石１５を被覆してある。この場合、蓋２と内板１６を例えばアルミ製とか他の非透視材製とすることにより、蓋２の内部を覗いても磁石１５が外部から見えないようにしたり、蓋２を透明或は半透明の材質製にして蓋２の外から磁石が見えるようにしたり、内板１６を透明或は半透明の材質製にして蓋２の内側を覗くと磁石が見えるようにしたりすることもできる。
【００１７】
前記した両磁石１４、１５は互いに吸引する極性（両磁石の対向面がＮ、Ｓ）に配置固定されて、蓋２をポンプカバー８の上からその外周に被せると両磁石が互いに吸引し合って、蓋２の下端がポンプカバー８の下端部８ａまで自動的に引き下げられてポンプ５が被覆され、容器本体１の口部４が確実に閉塞されるようにしてある。図１に示す磁石１４はボタン型であるが、磁石１４の形状はそれに限られず他の任意形状とすることができる。
【００１８】
（実施形態２）
本発明の蓋付き容器の他の実施形態を、図２（ａ）（ｂ）に基づいて詳細に説明する。この容器本体１もポンプ５、蓋２を備えることにおいて実施形態１記載の蓋付き容器と共通する。異なるのは図２（ａ）に示すように容器本体１側の磁石１４がポンプカバー８の下端部８ａの内側に、蓋２側の磁石１５が蓋２の下端部２ｂの内側に設けられたことである。図２（ａ）のポンプカバー８は、その下端部８ａが外側広がりに形成されて、その内側に磁石１４が収容できるようにしてある。また、蓋２もその下端部２ｂが外側広がりに形成されて、その内側の空間内に磁石１５を収容できるようにしてある。前記磁石１４と磁石１５の夫々は図２（ｂ）に示すようなリング状の磁石であって、周方向にＮ極とＳ極を備えている。この場合、蓋２の下端の磁石１５とポンプカバー８の下端の磁石１４の異極同士が対向すれば両磁石の吸引力により蓋２が容器本体１側（ポンプカバー８）に吸着固定されるため、蓋２を被せるときは磁石の異極同士を対向させるのがよい。逆に、両磁石の同極同士が対向すれば両磁石の反発力により蓋２が容器本体１（ポンプカバー８）から押し上げられるため、蓋２を取外すときは蓋２を回転させれば同極同士を対向させることができ、蓋２が外れ易くなる。蓋２を被せるときに両磁石の同極同士が対向するときは蓋２を回転させて異極同士を対向させて蓋２が容器本体１（ポンプカバー８）に吸着され易くすることができる。
【００１９】
図２（ａ）の磁石１４は、ポンプカバー８を例えばアルミ製とか他の非透視材製にして、外部から見えないようにするとか、これとは逆にポンプカバー８を透明或は半透明の材質製にして外部から見えるようにすることもできる。また、磁石１５は、蓋２を例えばアルミ製とか他の非透視材製とすることにより、蓋２の外部から磁石１５が見えないようにしたり、蓋２を透明或は半透明の材質製にして蓋２の外から磁石１５が見えるようにしたりすることもできる。
【００２０】
また、磁石１４及び磁石１５は、図２（ｂ）に示すリング状の磁石には限られず、小型のボタン状の磁石を、ポンプカバー８の下端部８ａの内側及び蓋２の下端部２ｂの内側に周方向に複数個ずつ取付けることもできる。その場合、磁石は、蓋２の下端部２ｂとポンプカバー８の下端部８ａの対向する部分に、Ｎ極とＳ極の両極が現れるように磁極を調整して取付ける。磁石１４及び磁石１５は、夫々の磁石の対向面にＮ極とＳ極の両極が備えられていれば、任意のものを用いることができる。
【００２１】
（実施形態３）
本発明の蓋付き容器においては、図３に示すように、容器本体１側の磁石１４をボタンカバー１０の天井外面１０ｂに、蓋２側の磁石１５を蓋２の天井内面２ａに夫々備えることもできる。前記した両磁石１４、１５は互いに吸引する極性（両磁石の対向面がＮ、Ｓ）に配置固定されて、蓋２をポンプカバー８の上からその外周に被せると両磁石が互いに吸引し合って、蓋２の下端がポンプカバー８の下端部８ａまで自動的に引き下げられてポンプ５が被覆され、容器本体１の口部４が確実に閉塞されるようにしてある。図３に示す磁石１４はボタン型であるが、その他、磁石１４の形状はそれに限られず他の任意形状とすることができる。
【００２２】
図３の磁石１４は、ボタンカバー１０の天井外面１０ｂに取付けられているため、蓋２を取外すと外部から見える。また、磁石１５は、蓋２を例えばアルミ製とか他の非透視材製とすることにより、蓋２の外部から磁石１５が見えないようにしたり、蓋２を透明或は半透明の材質製にして蓋２の外から磁石１５が見えるようにしたりすることもできる。また、前記図１のような内板１６を蓋２の内側に備え、その内板１６を非透視材製とすることにより、蓋２の内部を覗いても磁石１５が外部から見えないようにしたり、内板１６を透明或は半透明の材質製にして蓋２の内側を覗くと磁石１５が見えるようにしたりすることもできる。
【００２３】
（実施形態４）
本発明の蓋付き容器においては、図４に示すように、容器本体１側の磁石１４をボタンカバー１０の天井内面１０ａに、蓋２側の磁石１５を蓋２の天井内面２ａに夫々備えることもできる。ボタンカバー１０の天井内面１０ａに固定された磁石１４は、ボタン９の上面とボタンカバー１０の天井内面１０ａとの間に形成された空間１３内に収容される。図４の磁石１４及び磁石１５は、前記図２（ｂ）に示すリング状磁石と同様のものである。この場合、蓋２の天井内面２ａの磁石１５とボタンカバー１０の天井内面１０ａの磁石１４の異極同士が対向すれば両磁石の吸引力により蓋２が容器本体１側（ボタンカバー１０）に吸着固定されるため、蓋２を被せるときは磁石の異極同士を対向させるのがよい。逆に、両磁石の同極同士が対向すれば両磁石の反発力により蓋２が容器本体１（ボタンカバー１０）から押し上げられるため、蓋２を取外すときは蓋２を回転させれば同極同士を対向させることができ、蓋２が外れ易くなる。蓋２を被せるときに両磁石の同極同士が対向するときは蓋２を回転させて異極同士を対向させて蓋２が容器本体１（ボタンカバー１０）に吸着され易くすることができる。
【００２４】
図４に示す、ボタンカバー１０の天井内面１０ａの磁石１４は、ボタンカバー１０を例えばアルミ製とか他の非透視材製にして、蓋２を取外しても外部から見えないようにするとか、これとは逆にボタンカバー１０を透明或は半透明の材質製にして蓋２を取外すと外部から見えるようにすることもできる。また、蓋２の天井内面２ａの磁石１５は、蓋２を例えばアルミ製とか他の非透視材製とすることにより、蓋２の外部から磁石１５が見えないようにしたり、蓋２を透明或は半透明の材質製にして蓋２の外から磁石１５が見えるようにしたりすることもできる。また、前記図１のような内板１６を蓋２の内側に備え、その内板１６を非透視材製とすることにより、蓋２の内部を覗いても磁石１５が外部から見えないようにしたり、内板１６を透明或は半透明の材質製にして蓋２の内側を覗くと磁石１５が見えるようにしたりすることもできる。
【００２５】
また、磁石１４及び磁石１５は、図２（ｂ）に示すリング状の磁石には限られず、小型のボタン状の磁石を、ボタンカバー１０の天井内面１０ａ及び蓋２の天井内面２ａに周方向に複数個ずつ取付けることもできる。その場合、磁石は、蓋２の天井内面２ａと
ボタンカバー１０の天井内面１０ａの対向する部分に、Ｎ極とＳ極の両極が現れるように磁極を調整して取付ける。その他、磁石１４及び磁石１５は、夫々の磁石の対向面にＮ極とＳ極の両極が備えられていれば、任意のものを用いることができる。
【００２６】
（実施形態５）
本発明の蓋付き容器においては、図５に示すように、ポンプカバー８の下端部８ａの内側にのみ、リング状の磁石１４を備え、蓋２を、鉄、コバルト、ニッケルといった磁性体製としたものとすることもできる。この場合、磁性体製の蓋２をポンプ５に被せると、蓋２とポンプカバー８の下端部８ａの内側の磁石１４の吸引力によって、蓋２の下端がポンプカバー８の下端部８ａまで自動的に引き下げられて、容器本体１の口部４が確実に閉塞されるようにしてある。
【００２７】
図５の磁石１４は、ポンプカバー８を例えばアルミ製とか他の非透視材製にして、外部から見えないようにするとか、これとは逆にポンプカバー８を透明或は半透明の材質製にして外部から見えるようにすることもできる。
【００２８】
本実施形態の蓋付き容器では、蓋２を底面開口の縦長円筒形の磁石製とすることもできる。その場合、蓋２の下端部２ｂに、Ｎ極とＳ極の両極を備えるようにし、ポンプカバー８の下端部の内側の磁石１４を図２（ｂ）に示すリング状の磁石とする。この場合、磁石製の蓋２の下端とポンプカバー８の下端の磁石１４の異極同士が対向すれば両磁石の吸引力により蓋２が容器本体１側（ポンプカバー８）に吸着固定されるため、蓋２を被せるときは蓋２の下端部と磁石１４の異極同士を対向させるのがよい。逆に、蓋２の下端部と磁石１４の同極同士が対向すれば両磁石の反発力により蓋２が容器本体１（ポンプカバー８）から押し上げられるため、蓋２を取外すときは蓋２を回転させれば同極同士を対向させることができ、蓋２が外れ易くなる。蓋２を被せるときに蓋２の下端部と磁石１４の同極同士が対向するときは蓋２を回転させて異極同士を対向させて蓋２が容器本体１（ポンプカバー８）に吸着され易くすることができる。
【００２９】
（実施形態６）
本発明の蓋付き容器においては、図６に示すように、蓋２の天井内面２ａにのみ、ボタン状の磁石１５を備え、ボタンカバー１０を、鉄、コバルト、ニッケルといった磁性体製としたものとすることもできる。この場合は、蓋２をポンプ５に被せると、蓋２の天井内面２ａの磁石１５と磁性体製のボタンカバー１０の吸引力によって、蓋２がポンプ５に被せられた状態で吸着固定され、容器本体１の口部４が確実に閉塞される。
【００３０】
図６の蓋２の天井内面２ａの磁石１５は、蓋２を例えばアルミ製とか他の非透視材製とすることにより、蓋２の外部から磁石１５が見えないようにしたり、蓋２を透明或は半透明の材質製にして蓋２の外から磁石が見えるようにしたりすることもできる。また、前記図１のような内板１６を蓋２の内側に備え、その内板１６を非透視材製とすることにより、蓋２の内部を覗いても磁石１５が外部から見えないようにしたり、内板１６を透明或は半透明の材質製にして蓋２の内側を覗くと磁石が見えるようにしたりすることもできる。
【００３１】
本実施形態の蓋付き容器では、ボタンカバー１０を底面開口の円筒形の磁石製とすることもできる。その場合、ボタンカバー１０の上面１０ａの磁極と、蓋２の磁石１５の下面側の磁極とが逆になるように調整する。
【００３２】
（実施形態７）
本発明の容器においては、図７に示すように、容器本体１側の磁石１４をポンプカバー８の下端部８ａの外側に、蓋２側の磁石１５を蓋２の下端部２ｂの外側に夫々備えることもできる。図７のポンプカバー８の下端部８ａ及び蓋２の下端部２ｂは、夫々外側に磁石を取り付けられるように、外方へ拡げられている。この場合、ポンプカバー８の下端部８ａの磁石１４及び蓋２の下端部２ｂの磁石１５は、夫々外部から見える。図７の磁石１４及び磁石１５は、前記図２（ｂ）に示すリング状磁石と同様のものである。この場合、蓋２の下端部２ｂの外側の磁石１５とポンプカバー８の下端部８ａの外側の磁石１４の異極同士が対向すれば両磁石の吸引力により蓋２が容器本体１側（ポンプカバー８）に吸着固定されるため、蓋２を被せるときは磁石の異極同士を対向させるのがよい。逆に、両磁石の同極同士が対向すれば両磁石の反発力により蓋２が容器本体１（ポンプカバー８）から押し上げられるため、蓋２を取外すときは蓋２を回転させれば同極同士を対向させることができ、蓋２が外れ易くなる。蓋２を被せるときに両磁石の同極同士が対向するときは蓋２を回転させて異極同士を対向させて蓋２が容器本体１（ポンプカバー８）に吸着され易くすることができる。
【００３３】
本実施形態の蓋付き容器では、前記実施形態５のように、蓋２を磁性体製のものや、磁石製のものとすることもできる。その場合、図７に示す蓋２に取付けられた磁石１５を省略することもできる。
【００３４】
（実施形態８）
本発明の蓋付き容器においては、図８（ａ）に示すように、容器本体１側の磁石１４を装着部６の上部６ａとポンプカバー８の上部８ｂの内側との隙間に形成される空間１７に、蓋２側の磁石１５を蓋２の内側面２ｃに夫々備えることもできる。図８（ａ）の蓋２は、内側面に磁石１５を取り付けられるように、中段部より下方の径を大きくしてある。また、図８（ａ）のポンプカバー８は、上部８ｂが下方拡がりのいわゆる富士山型に形成されている。図８（ａ）の磁石１４及び磁石１５は、前記図２（ｂ）に示すリング状磁石と同様のものである。この場合、図８（ａ）の蓋２の内側面２ｃの磁石１５と、空間１７の磁石１４の異極同士が対向すれば両磁石の吸引力により蓋２が容器本体１側（ポンプカバー８）に吸着固定されるため、蓋２を被せるときは磁石の異極同士を対向させるのがよい。逆に、両磁石の同極同士が対向すれば両磁石の反発力により蓋２が容器本体１（ポンプカバー８）から押し上げられるため、蓋２を取外すときは蓋２を回転させれば同極同士を対向させることができ、蓋２が外れ易くなる。蓋２を被せるときに両磁石の同極同士が対向するときは蓋２を回転させて異極同士を対向させて蓋２が容器本体１（ポンプカバー８）に吸着され易くすることができる。
【００３５】
図８（ａ）の磁石１４は、ポンプカバー８を例えばアルミ製とか他の非透視材製にして、外部から見えないようにするとか、これとは逆にポンプカバー８を透明或は半透明の材質製にして外部から見えるようにすることもできる。また、磁石１５は、蓋２を例えばアルミ製とか他の非透視材製とすることにより、蓋２の外部から磁石１５が見えないようにしたり、蓋２を透明或は半透明の材質製にして蓋２の外から磁石１５が見えるようにしたりすることもできる。
【００３６】
本実施形態の蓋付き容器の構造は、図８（ａ）に示すような上部８ｂが下方拡がりのいわゆる富士山型のポンプカバー８の場合には限られず、図８（ｂ）に示すような上部８ｂが円弧状に膨らんでいるいわゆるドーム型のポンプカバー８の場合にも同様に適用することができる。
【００３７】
（実施形態９）
本発明の蓋付き容器においては、図９に示すように、容器本体１側の磁石１４をポンプカバー８の上部８ｂの外側に、蓋２側の磁石１５を蓋２の内側面２ｃに夫々備えることもできる。図９のポンプカバー８の上部８ｂの外側は、磁石１４を配置できるように、矩形に形成されている。また、蓋２は、内側面２ｃに磁石１５を取付けられるように、中段部より下方の径を大きくしてある。磁石１４及び磁石１５は、前記図２（ｂ）に示すリング状磁石と同様のものである。この場合、蓋２の内側面２ｃの磁石１５と、ポンプカバー８の上部８ｂの外側の磁石１４の異極同士が対向すれば両磁石の吸引力により蓋２が容器本体１側（ポンプカバー８）に吸着固定されるため、蓋２を被せるときは磁石の異極同士を対向させるのがよい。逆に、両磁石の同極同士が対向すれば両磁石の反発力により蓋２が容器本体１（ポンプカバー８）から押し上げられるため、蓋２を取外すときは蓋２を回転させれば同極同士を対向させることができ、蓋２が外れ易くなる。蓋２を被せるときに両磁石の同極同士が対向するときは蓋２を回転させて異極同士を対向させて蓋２が容器本体１（ポンプカバー８）に吸着され易くすることができる。
【００３８】
図９の磁石１４は、ポンプカバー８の上部８ｂの外側に取付けられて、外部から見えるようにしてある。また、磁石１５は、蓋２を例えばアルミ製とか他の非透視材製とすることにより、蓋２の外部から磁石１５が見えないようにしたり、蓋２を透明或は半透明の材質製にして蓋２の外から磁石１５が見えるようにしたりすることもできる。
【００３９】
（実施形態１０）
本発明の蓋付き容器においては、図１０（ａ）に示すように、容器本体１側の磁石１４を装着部６の側面部６ｂとポンプカバー８の内側との隙間に形成される空間１８に、蓋２側の磁石１５を蓋２の内側面２ｃに夫々備えることもできる。図１０（ａ）のポンプカバー８は、装着部６の側面部６ｂに磁石１４を配置できるように、大径に形成されている。また、蓋２は、内側面２ｃに磁石１５を取り付けられるように、中段部より下方の径を大きくしてある。磁石１４及び磁石１５は、前記図２（ｂ）に示すリング状磁石と同様のものである。この場合、図１０（ａ）の蓋２の内側面２ｃの磁石１５と、空間１８内の磁石１４の異極同士が対向すれば両磁石の吸引力により蓋２が容器本体１側（ポンプカバー８）に吸着固定されるため、蓋２を被せるときは磁石の異極同士を対向させるのがよい。逆に、両磁石の同極同士が対向すれば両磁石の反発力により蓋２が容器本体１（ポンプカバー８）から押し上げられるため、蓋２を取外すときは蓋２を回転させれば同極同士を対向させることができ、蓋２が外れ易くなる。蓋２を被せるときに両磁石の同極同士が対向するときは蓋２を回転させて異極同士を対向させて蓋２が容器本体１（ポンプカバー８）に吸着され易くすることができる。
【００４０】
図１０（ａ）の磁石１４は、ポンプカバー８を例えばアルミ製とか他の非透視材製にして、外部から見えないようにするとか、これとは逆にポンプカバー８を透明或は半透明の材質製にして外部から見えるようにすることもできる。また、磁石１５は、蓋２を例えばアルミ製とか他の非透視材製とすることにより、蓋２の外部から磁石１５が見えないようにしたり、蓋２を透明或は半透明の材質製にして蓋２の外から磁石が見えるようにしたりすることもできる。
【００４１】
図１０（ｂ）に示すように、装着部６の側面部６ｂに磁石１４を収容するための溝１９を形成し、その溝１９内に磁石１４を収容することもできる。その場合、図１０（ｂ）に示すように、ポンプカバー８は、大径のものを用いる必要はなく、空間１８を形成する必要もない。
【００４２】
（その他の実施形態）
本発明の蓋付き容器は、蓋をポンプカバーに被せる構造のものに限られず、蓋を容器本体の口部外周に直接被せて容器本体の口部を被覆して閉塞する構造のものとすることも可能である。
【００４３】
装着部、チューブ、ボタン、ポンプカバー、ボタンカバー、蓋等の各部品は、いずれも樹脂製、金属製等、任意の素材製とすることができる。もっとも、これら部品は、磁石を効果的に機能させるために、透磁性を有する素材製とすることが望ましい。
【００４４】
本発明の蓋付き容器は、前記各実施形態に示すようなポンプを備えるものには限られず、例えば容器本体の口部を閉塞する中蓋を備える構造の容器とすることができる。また、蓋によって直接容器本体の口部を被覆する構造の容器とすることも可能である。
【００４５】
本発明の蓋付き容器の磁石の位置や、蓋やポンプの取付け構造等は、前記したものには限られず、任意とすることができる。
【産業上の利用可能性】
【００４６】
本発明の蓋付き容器は、液状化粧品収容用のものには限られず、飲料、薬品等、他の任意の液体や固体等を収容可能なものとするなど、様々な産業分野で利用することができる。
【図面の簡単な説明】
【００４７】
【図１】本発明の蓋付き容器の実施形態の一例を示す正面断面図。
【図２】（ａ）は、本発明の蓋付き容器の第２の実施形態例を示す正面断面図。（ｂ）は、（ａ）に示す蓋付き容器に用いるリング状磁石を示す斜視説明図。
【図３】本発明の蓋付き容器の第３の実施形態例を示す正面断面図。
【図４】本発明の蓋付き容器の第４の実施形態例を示す正面断面図。
【図５】本発明の蓋付き容器の第５の実施形態例を示す正面断面図。
【図６】本発明の蓋付き容器の第６の実施形態例を示す正面断面図。
【図７】本発明の蓋付き容器の第７の実施形態例を示す正面断面図。
【図８】（ａ）は、本発明の蓋付き容器の第８の実施形態例を示す正面断面図。（ｂ）は、（ａ）に示す蓋付き容器の他の実施形態例を示す正面断面図。
【図９】本発明の蓋付き容器の第９の実施形態例を示す正面断面図。
【図１０】（ａ）は、本発明の蓋付き容器の第１０の実施形態例を示す正面断面図。（ｂ）は、（ａ）に示す蓋付き容器の他の実施形態例を示す正面断面図。
【図１１】従来の蓋付き容器の実施形態例を示す斜視図。
【符号の説明】
【００４８】
１  容器本体
２  蓋
４  口部
５  ポンプ
６  装着部
７  チューブ
８  ポンプカバー
９  ボタン
１０  ボタンカバー
１１  出口
１２  挿通孔
１４  磁石（容器本体側）
１５  磁石（蓋側）
１６  内板
【図１】
2007191192.tif 000003
【図２】
2007191192.tif 000004
【図３】
2007191192.tif 000005
【図４】
2007191192.tif 000006
【図５】
2007191192.tif 000007
【図６】
2007191192.tif 000008
【図７】
2007191192.tif 000009
【図８】
2007191192.tif 000010
【図９】
2007191192.tif 000011
【図１０】
2007191192.tif 000012
【図１１】
2007191192.tif 000013
【手続補正書】
【提出日】平成18年7月24日(2006.7.24)
【手続補正１】
【補正対象書類名】特許請求の範囲
【補正対象項目名】全文
【補正方法】変更
【補正の内容】
【特許請求の範囲】
【請求項１】
容器本体とその上部に被せる蓋を備え、容器本体は口部にポンプが装着され、ポンプはボタンの上にボタンカバーが被せられ、ボタンカバーを押すと容器本体内の液体を出口から吐出或は噴霧し、前記蓋はボタンカバーの上からポンプの外側に被せてボタンカバー及びポンプを被覆することができ、蓋の天井内面とボタンカバーの天井内面の双方に磁石を互いに吸引するように異極同士を対向させて設けて、又は蓋の天井内面とボタンカバーの天井内面の一方に磁石を設けるか、他方に磁性体を設けるか磁性体製として、容器本体に蓋を被せると蓋が容器本体に吸引固定されるようにしたことを特徴とするポンプ及び蓋付き容器。
【請求項２】
容器本体とその上部に被せる蓋を備え、容器本体は口部にポンプが装着され、ポンプはボタンの上にボタンカバーが被せられ、ボタンカバーを押すと容器本体内の液体を出口から吐出或は噴霧し、前記蓋はボタンカバーの上からポンプの外側に被せてそれらを被覆することができ、蓋の天井内面とボタンカバーの天井内面の双方に磁石が設けられ、蓋の磁石は蓋の周方向にＮ極とＳ極を備え、ボタンカバーの磁石はボタンカバーの周方向にＮ極とＳ極を備えて、両磁石の異極同士が対向或いは接近すると互いに吸引して蓋が容器本体に固定され、蓋を廻して両磁石の同極同士を対向或いは接近させると両磁石が反発して蓋が容器本体から外れる方向に押されるようにしたことを特徴とするポンプ及び蓋付き容器。
【請求項３】
請求項２記載のポンプ及び蓋付き容器において、蓋の天井内面の磁石とボタンカバーの天井内面の磁石はリング状であるか、天井内面の周方向とボタンカバー内面の周方向に二以上配置されたことを特徴とするポンプ及び蓋付き容器。
【手続補正２】
【補正対象書類名】明細書
【補正対象項目名】全文
【補正方法】変更
【補正の内容】
【発明の詳細な説明】
【技術分野】
【０００１】
本発明は液状化粧品、洗顔液、香水といった各種液体を収容可能なポンプ及び蓋付き容器に関するものである。
【背景技術】
【０００２】
従来の前記蓋付き容器は図１１に示すように、液体を収容可能な容器本体Ａと、容器本体Ａの口部Ｂの外周に被せてその口部Ｂを被覆する蓋Ｃとを備えている。容器によっては容器本体Ａの口部ＢにポンプＤを取り付け、そのポンプＤを指先で押すと容器本体Ａ内の液体がポンプ出口Ｅから吐出或は噴霧されるようにしたものもある。また、ポンプＤの裾の外周又は容器本体Ａの口部Ｂの裾の外周に小さな突起（ダボ）Ｆを突設して、口部Ｂの外周に被せた蓋ＣがダボＦの外側に被さって（ダボＦが蓋Ｃの内側に圧入して）容器本体Ａに固定されるようにしてある。
【発明の開示】
【発明が解決しようとする課題】
【０００３】
従来の蓋付き容器は前記のようにダボを設けて容器本体に被せた蓋を固定するようにしたため次のような課題がある。
（１）蓋を容器本体に着脱するときに蓋がダボの外側に被さるように、蓋を強く押さなければならず面倒であり、押しが中途半端であると蓋の被さりが不十分になる。この場合は、バッグに入れて携帯中に蓋が外れてバッグの内部が汚れるとか、バッグ内に収容されている他の品物が汚れるといった面倒があった。
（２）蓋を容器本体に着脱するときにダボと蓋の内側が擦れて金属粉が発生し、それが容器本体や蓋に付着して付着部分が黒ずむことがあり見栄えが悪くなる。また、容器本体や蓋に付着した金属粉が化粧する手に付着して化粧しにくくなることもある。
（３）蓋を容器本体に着脱するときにダボと蓋の内側の摩擦によって蓋や口部が変色したり、ひび割れしたりして、化粧瓶としての体裁が悪くなる。
（４）ダボの凹凸が化粧瓶の外観を損なう場合もある。
（５）ダボの突出寸度（高さ）が少しでも高いと蓋を脱着し難くなり、少しでも低いと蓋の固定が不十分になって外れ易くなるため、ダボの突出寸度には高精度の加工が求められる。しかし、高精度の加工は手間が掛かり、熟練が必要であり、コスト高になる。
【課題を解決するための手段】
【０００４】
本発明のポンプ及び蓋付き容器は前記した各種課題が無く、しかも、容器本体の開口部への蓋の脱着が容易、確実で、外観の体裁も良く、製造も容易でコスト減にも資するものである。
【０００５】
本件発明のポンプ及び蓋付き容器は、請求項１記載のように、容器本体とその上部に被せる蓋を備え、容器本体は口部にポンプが装着され、ポンプはボタンの上にボタンカバーが被せられ、ボタンカバーを押すと容器本体内の液体を出口から吐出或は噴霧し、前記蓋はボタンカバーの上からポンプの外側に被せてそれらを被覆することができ、蓋の天井内面とボタンカバーの天井内面の双方に磁石を互いに吸引するように異極同士を対向させて設けて、又は蓋の天井内面とボタンカバーの天井内面の一方に磁石を設けるか、他方に磁性体を設けるか磁性体製として、容器本体に蓋を被せると蓋が容器本体に吸引固定されるようにしてある。
【０００６】
本件発明のポンプ及び蓋付き容器は、請求項２記載のように、容器本体とその上部に被せる蓋を備え、容器本体は口部にポンプが装着され、ポンプはボタンの上にボタンカバーが被せられ、ボタンカバーを押すと容器本体内の液体を出口から吐出或は噴霧し、前記蓋はボタンカバーの上からポンプの外側に被せてそれらを被覆することができ、蓋の天井内面とボタンカバーの天井内面の双方に磁石が設けられ、蓋の磁石は蓋の周方向にＮ極とＳ極を備え、ボタンカバーの磁石はボタンカバーの周方向にＮ極とＳ極を備えて、両磁石の異極同士が対向或いは接近すると互いに吸引して蓋が容器本体に固定され、蓋を廻して両磁石の同極同士を対向或いは接近させると両磁石が反発して蓋が容器本体から外れる方向に押されるようにしてある。
【０００７】
本件発明のポンプ及び蓋付き容器は、請求項３記載のように、前記ポンプ及び蓋付き容器において、蓋の天井内面の磁石とボタンカバー内面の磁石は共にリング状であるか、天井内面の周方向とボタンカバー内面の周方向に二以上配置されたものとしてある。
【発明の効果】
【０００８】
本件出願の請求項１記載のポンプ及び蓋付き容器は次のような効果がある。
（１）磁石の吸引力によって容器本体に被せるだけで蓋が容器本体側に固定されて、容器本体の口部を確実に被覆するため、蓋が携帯中に外れてバッグ内が汚れるとか、バッグ内の他の品物が汚れるといったことがない。
（２）ポンプカバーにダボを形成する必要がないため製造が容易であり、製造コストも低減する。
（３）ポンプカバーのダボが不要となるため、蓋とダボとの摩擦が起こらず、金属粉の発生により容器や蓋の変色、ひび割れ等が発生せず、それに伴う諸問題が一切ない。
（４）蓋や容器本体に備えた磁石の磁力によって容器本体に収容されている液体が活性化されたり、改質されたりして、化粧水や香水等の効果が向上することもあり得る。
【０００９】
本件出願の請求項２、３記載のポンプ及び蓋付き容器は、容器本体に蓋を被せると互いに対向するように設けられた磁石を対向面にＮ極とＳ極の両極を備えたものとし、容器本体とそれに被せた蓋はそれら磁石の異極同士が対向すると吸引固定され、同極同士が対向すると反発するようにしたので、上記各効果の他に次のような効果もある。
（１）容器本体に被せる蓋を回転させて、容器本体と蓋の磁石の異極同士を対向させれば、磁石の吸引力で蓋が容器本体に吸引固定されるため、容器本体への蓋の吸引固定が容易且つ確実になる。また、容器本体及び蓋に余計な負担が掛からず、容器本体も蓋も長持ちする。
（２）容器本体から取り外す蓋を回転させて、容器本体と蓋の磁石の同極同士を対向させれば、磁石の反発力で蓋が容器本体から押し上げられるため、蓋の取り外しが容易且つ確実になる。また、容器本体及び蓋に余計な負担が掛からず、容器本体も蓋も長持ちする。
【００１０】
【発明を実施するための最良の形態】
【００１１】
（実施形態１）
本発明のポンプ及び蓋付き容器の実施形態の一例を、図１を参照して詳細に説明する。図１のポンプ及び蓋付き容器は香水や化粧水といった液体を収容する容器本体１とそれに被せる蓋２を備えたものであり、容器本体１はその上部に形成された口部４にポンプ５の装着部６が装着され、ポンプ５のチューブ７が容器本体１内に差込まれ、ポンプ５の頭部のボタン９を指で押すと容器本体１内の液体がチューブ７内に吸引されてボタン９の出口１１から吐出或は噴霧（以下両者をまとめて「噴出」という。）され、前記容器本体１側と蓋２側に夫々磁石１４、１５を取付けて、蓋２を容器本体１の口部４の外側に被せると、容器本体１側の磁石１４と蓋２側の磁石１５とが吸引しあって蓋２が容器本体１に固定されるようにしてある。
【００１２】
容器本体１は上部に細い口部４が形成され、口部４の外周面にネジ４ａが形成されている。容器本体１は液体を収容可能であって、ポンプ５を取付け可能なものであれば、任意のデザイン、大きさのものを用いることができ、材質もガラス製、金属製、樹脂製等の任意の材料製とすることができる。容器本体１に収容する液体は液状、乳液状といったどのようなものでもよい。
【００１３】
ポンプ５は容器本体１内の液体を吸引してボタン９の出口１１から噴出するものであり、原理は既存のこの種のポンプと同様のもの或はそれを改良したものであり、容器本体１の口部４に装着する装着部６内に吸引機構２０が設けられ、吸引機構２０にチューブ７の上部が連結され、チューブ７の下部が装着部６の下方に突出して容器本体１内に差込まれるようにしてあり、吸引機構２０の上部にボタン９が設けられ、そのボタン９を押すと容器本体１内の液体を吸引して、ボタン９の出口１１から液体が噴出されるようにしてある。このポンプ５の装着部６、ボタン９、チューブ７は樹脂製であり、装着部６の外周にポンプカバー８を、ボタン９の外周にボタンカバー１０を被せてある。これらカバー８、１０はアルミ製、他の金属製、他の材質製とすることができ、外周面に塗装や蒸着等の手段で化粧膜が形成されたものを使用することができる。このポンプ５は前記装着部６の内周面に形成されたネジ２１が、容器本体１の口部４のネジ４ａにネジ嵌合されて口部４に装着されている。
【００１４】
前記蓋２は図１に示すように底面開口の縦長円筒形であり、容器本体１の口部４の上から被せると容器本体１に取付けられたポンプ５を被覆できるようにしてある。
【００１５】
図１の容器本体１側の磁石１４はボタンカバー１０の天井内面１０ａに取付けられ、そのボタンカバー１０内にボタン９を圧入固定して磁石１４がボタン９の上方の空間１３内に収容してある。この場合、ボタンカバー１０を例えばアルミ製とか他の非透視材製にして、蓋２を取外しても外部から見えないようにするとか、これとは逆にボタンカバー１０を透明或は半透明の材質製にして蓋２を取外すと外部から見えるようにすることもできる。
【００１６】
図１の蓋２側の磁石１５は蓋２の天井内面２ａに取付けられ、その下に内板１６を圧入固定して磁石１５を被覆してある。この場合、蓋２と内板１６を例えばアルミ製とか他の非透視材製とすることにより、蓋２の内部を覗いても磁石１５が外部から見えないようにしたり、蓋２を透明或は半透明の材質製にして蓋２の外から磁石が見えるようにしたり、内板１６を透明或は半透明の材質製にして蓋２の内側を覗くと磁石が見えるようにしたりすることもできる。
【００１７】
前記した両磁石１４、１５は互いに吸引する極性（両磁石の対向面がＮ、Ｓ）に配置固定されて、蓋２をポンプカバー８の上からその外周に被せると両磁石が互いに吸引し合って、蓋２の下端がポンプカバー８の下端部８ａまで自動的に引き下げられてポンプ５が被覆され、容器本体１の口部４が確実に閉塞されるようにしてある。図１に示す磁石１４はボタン型であるが、磁石１４の形状はそれに限られず他の任意形状とすることができる。
【００１８】
（実施形態２）
本発明のポンプ及び蓋付き容器の他の実施形態を、図２（ａ）（ｂ）に基づいて詳細に説明する。この容器本体１もポンプ５、蓋２を備えることにおいて実施形態１記載のポンプ及び蓋付き容器と共通する。異なるのは図２（ａ）に示すように容器本体１側の磁石１４がポンプカバー８の下端部８ａの内側に、蓋２側の磁石１５が蓋２の下端部２ｂの内側に設けられたことである。図２（ａ）のポンプカバー８は、その下端部８ａが外側広がりに形成されて、その内側に磁石１４が収容できるようにしてある。また、蓋２もその下端部２ｂが外側広がりに形成されて、その内側の空間内に磁石１５を収容できるようにしてある。前記磁石１４と磁石１５の夫々は図２（ｂ）に示すようなリング状の磁石であって、周方向にＮ極とＳ極を備えている。この場合、蓋２の下端の磁石１５とポンプカバー８の下端の磁石１４の異極同士が対向すれば両磁石の吸引力により蓋２が容器本体１側（ポンプカバー８）に固定されるため、蓋２を被せるときは磁石の異極同士を対向させるのがよい。逆に、両磁石の同極同士が対向すれば両磁石の反発力により蓋２が容器本体１（ポンプカバー８）から押し上げられるため、蓋２を取外すときは蓋２を回転させれば同極同士を対向させることができ、蓋２が外れ易くなる。蓋２を被せるときに両磁石の同極同士が対向するときは蓋２を回転させて異極同士を対向させて蓋２が容器本体１（ポンプカバー８）に吸引され易くすることができる。
【００１９】
図２（ａ）の磁石１４は、ポンプカバー８を例えばアルミ製とか他の非透視材製にして、外部から見えないようにするとか、これとは逆にポンプカバー８を透明或は半透明の材質製にして外部から見えるようにすることもできる。また、磁石１５は、蓋２を例えばアルミ製とか他の非透視材製とすることにより、蓋２の外部から磁石１５が見えないようにしたり、蓋２を透明或は半透明の材質製にして蓋２の外から磁石１５が見えるようにしたりすることもできる。
【００２０】
また、磁石１４及び磁石１５は、図２（ｂ）に示すリング状の磁石には限られず、小型のボタン状の磁石を、ポンプカバー８の下端部８ａの内側及び蓋２の下端部２ｂの内側に周方向に複数個ずつ取付けることもできる。その場合、磁石は、蓋２の下端部２ｂとポンプカバー８の下端部８ａの対向する部分に、Ｎ極とＳ極の両極が現れるように磁極を調整して取付ける。磁石１４及び磁石１５は、夫々の磁石の対向面にＮ極とＳ極の両極が備えられていれば、任意のものを用いることができる。
【００２１】
（実施形態３）
本発明のポンプ及び蓋付き容器においては、図３に示すように、容器本体１側の磁石１４をボタンカバー１０の天井外面１０ｂに、蓋２側の磁石１５を蓋２の天井内面２ａに夫々備えることもできる。前記した両磁石１４、１５は互いに吸引する極性（両磁石の対向面がＮ、Ｓ）に配置固定されて、蓋２をポンプカバー８の上からその外周に被せると両磁石が互いに吸引し合って、蓋２の下端がポンプカバー８の下端部８ａまで自動的に引き下げられてポンプ５が被覆され、容器本体１の口部４が確実に閉塞されるようにしてある。図３に示す磁石１４はボタン型であるが、その他、磁石１４の形状はそれに限られず他の任意形状とすることができる。
【００２２】
図３の磁石１４は、ボタンカバー１０の天井外面１０ｂに取付けられているため、蓋２を取外すと外部から見える。また、磁石１５は、蓋２を例えばアルミ製とか他の非透視材製とすることにより、蓋２の外部から磁石１５が見えないようにしたり、蓋２を透明或は半透明の材質製にして蓋２の外から磁石１５が見えるようにしたりすることもできる。また、前記図１のような内板１６を蓋２の内側に備え、その内板１６を非透視材製とすることにより、蓋２の内部を覗いても磁石１５が外部から見えないようにしたり、内板１６を透明或は半透明の材質製にして蓋２の内側を覗くと磁石１５が見えるようにしたりすることもできる。
【００２３】
（実施形態４）
本発明のポンプ及び蓋付き容器においては、図４に示すように、容器本体１側の磁石１４をボタンカバー１０の天井内面１０ａに、蓋２側の磁石１５を蓋２の天井内面２ａに夫々備えることもできる。ボタンカバー１０の天井内面１０ａに固定された磁石１４は、ボタン９の上面とボタンカバー１０の天井内面１０ａとの間に形成された空間１３内に収容される。図４の磁石１４及び磁石１５は、前記図２（ｂ）に示すリング状磁石と同様のものである。この場合、蓋２の天井内面２ａの磁石１５とボタンカバー１０の天井内面１０ａの磁石１４の異極同士が対向すれば両磁石の吸引力により蓋２が容器本体１側（ボタンカバー１０）に固定されるため、蓋２を被せるときは磁石の異極同士を対向させるのがよい。逆に、両磁石の同極同士が対向すれば両磁石の反発力により蓋２が容器本体１（ボタンカバー１０）から押し上げられるため、蓋２を取外すときは蓋２を回転させれば同極同士を対向させることができ、蓋２が外れ易くなる。蓋２を被せるときに両磁石の同極同士が対向するときは蓋２を回転させて異極同士を対向させて蓋２が容器本体１（ボタンカバー１０）に吸引され易くすることができる。
【００２４】
図４に示す、ボタンカバー１０の天井内面１０ａの磁石１４は、ボタンカバー１０を例えばアルミ製とか他の非透視材製にして、蓋２を取外しても外部から見えないようにするとか、これとは逆にボタンカバー１０を透明或は半透明の材質製にして蓋２を取外すと外部から見えるようにすることもできる。また、蓋２の天井内面２ａの磁石１５は、蓋２を例えばアルミ製とか他の非透視材製とすることにより、蓋２の外部から磁石１５が見えないようにしたり、蓋２を透明或は半透明の材質製にして蓋２の外から磁石１５が見えるようにしたりすることもできる。また、前記図１のような内板１６を蓋２の内側に備え、その内板１６を非透視材製とすることにより、蓋２の内部を覗いても磁石１５が外部から見えないようにしたり、内板１６を透明或は半透明の材質製にして蓋２の内側を覗くと磁石１５が見えるようにしたりすることもできる。
【００２５】
また、磁石１４及び磁石１５は、図２（ｂ）に示すリング状の磁石には限られず、小型のボタン状の磁石を、ボタンカバー１０の天井内面１０ａ及び蓋２の天井内面２ａに周方向に複数個ずつ取付けることもできる。その場合、磁石は、蓋２の天井内面２ａとボタンカバー１０の天井内面１０ａの対向する部分に、Ｎ極とＳ極の両極が現れるように磁極を調整して取付ける。その他、磁石１４及び磁石１５は、夫々の磁石の対向面にＮ極とＳ極の両極が備えられていれば、任意のものを用いることができる。
【００２６】
（実施形態５）
本発明のポンプ及び蓋付き容器においては、図５に示すように、ポンプカバー８の下端部８ａの内側にのみ、リング状の磁石１４を備え、蓋２を、鉄、コバルト、ニッケルといった磁性体製としたものとすることもできる。この場合、磁性体製の蓋２をポンプ５に被せると、蓋２とポンプカバー８の下端部８ａの内側の磁石１４の吸引力によって、蓋２の下端がポンプカバー８の下端部８ａまで自動的に引き下げられて、容器本体１の口部４が確実に閉塞されるようにしてある。
【００２７】
図５の磁石１４は、ポンプカバー８を例えばアルミ製とか他の非透視材製にして、外部から見えないようにするとか、これとは逆にポンプカバー８を透明或は半透明の材質製にして外部から見えるようにすることもできる。
【００２８】
本実施形態のポンプ及び蓋付き容器では、蓋２を底面開口の縦長円筒形の磁石製とすることもできる。その場合、蓋２の下端部２ｂに、Ｎ極とＳ極の両極を備えるようにし、ポンプカバー８の下端部の内側の磁石１４を図２（ｂ）に示すリング状の磁石とする。この場合、磁石製の蓋２の下端とポンプカバー８の下端の磁石１４の異極同士が対向すれば両磁石の吸引力により蓋２が容器本体１側（ポンプカバー８）に固定されるため、蓋２を被せるときは蓋２の下端部と磁石１４の異極同士を対向させるのがよい。逆に、蓋２の下端部と磁石１４の同極同士が対向すれば両磁石の反発力により蓋２が容器本体１（ポンプカバー８）から押し上げられるため、蓋２を取外すときは蓋２を回転させれば同極同士を対向させることができ、蓋２が外れ易くなる。蓋２を被せるときに蓋２の下端部と磁石１４の同極同士が対向するときは蓋２を回転させて異極同士を対向させて蓋２が容器本体１（ポンプカバー８）に吸引され易くすることができる。
【００２９】
（実施形態６）
本発明のポンプ及び蓋付き容器においては、図６に示すように、蓋２の天井内面２ａにのみ、ボタン状の磁石１５を備え、ボタンカバー１０を、鉄、コバルト、ニッケルといった磁性体製としたものとすることもできる。この場合は、蓋２をポンプ５に被せると、蓋２の天井内面２ａの磁石１５と磁性体製のボタンカバー１０の吸引力によって、蓋２がポンプ５に被せられた状態で固定され、容器本体１の口部４が確実に閉塞される。
【００３０】
図６の蓋２の天井内面２ａの磁石１５は、蓋２を例えばアルミ製とか他の非透視材製とすることにより、蓋２の外部から磁石１５が見えないようにしたり、蓋２を透明或は半透明の材質製にして蓋２の外から磁石が見えるようにしたりすることもできる。また、前記図１のような内板１６を蓋２の内側に備え、その内板１６を非透視材製とすることにより、蓋２の内部を覗いても磁石１５が外部から見えないようにしたり、内板１６を透明或は半透明の材質製にして蓋２の内側を覗くと磁石が見えるようにしたりすることもできる。
【００３１】
本実施形態のポンプ及び蓋付き容器では、ボタンカバー１０を底面開口の円筒形の磁石製とすることもできる。その場合、ボタンカバー１０の上面１０ａの磁極と、蓋２の磁石１５の下面側の磁極とが逆になるように調整する。
【００３２】
（実施形態７）
本発明のポンプ及び蓋付き容器においては、図７に示すように、容器本体１側の磁石１４をポンプカバー８の下端部８ａの外側に、蓋２側の磁石１５を蓋２の下端部２ｂの外側に夫々備えることもできる。図７のポンプカバー８の下端部８ａ及び蓋２の下端部２ｂは、夫々外側に磁石を取り付けられるように、外方へ拡げられている。この場合、ポンプカバー８の下端部８ａの磁石１４及び蓋２の下端部２ｂの磁石１５は、夫々外部から見える。図７の磁石１４及び磁石１５は、前記図２（ｂ）に示すリング状磁石と同様のものである。この場合、蓋２の下端部２ｂの外側の磁石１５とポンプカバー８の下端部８ａの外側の磁石１４の異極同士が対向すれば両磁石の吸引力により蓋２が容器本体１側（ポンプカバー８）に固定されるため、蓋２を被せるときは磁石の異極同士を対向させるのがよい。逆に、両磁石の同極同士が対向すれば両磁石の反発力により蓋２が容器本体１（ポンプカバー８）から押し上げられるため、蓋２を取外すときは蓋２を回転させれば同極同士を対向させることができ、蓋２が外れ易くなる。蓋２を被せるときに両磁石の同極同士が対向するときは蓋２を回転させて異極同士を対向させて蓋２が容器本体１（ポンプカバー８）に吸引され易くすることができる。
【００３３】
本実施形態のポンプ及び蓋付き容器では、前記実施形態５のように、蓋２を磁性体製のものや、磁石製のものとすることもできる。その場合、図７に示す蓋２に取付けられた磁石１５を省略することもできる。
【００３４】
（実施形態８）
本発明のポンプ及び蓋付き容器においては、図８（ａ）に示すように、容器本体１側の磁石１４を装着部６の上部６ａとポンプカバー８の上部８ｂの内側との隙間に形成される空間１７に、蓋２側の磁石１５を蓋２の内側面２ｃに夫々備えることもできる。図８（ａ）の蓋２は、内側面に磁石１５を取り付けられるように、中段部より下方の径を大きくしてある。また、図８（ａ）のポンプカバー８は、上部８ｂが下方拡がりのいわゆる富士山型に形成されている。図８（ａ）の磁石１４及び磁石１５は、前記図２（ｂ）に示すリング状磁石と同様のものである。この場合、図８（ａ）の蓋２の内側面２ｃの磁石１５と、空間１７の磁石１４の異極同士が対向すれば両磁石の吸引力により蓋２が容器本体１側（ポンプカバー８）に固定されるため、蓋２を被せるときは磁石の異極同士を対向させるのがよい。逆に、両磁石の同極同士が対向すれば両磁石の反発力により蓋２が容器本体１（ポンプカバー８）から押し上げられるため、蓋２を取外すときは蓋２を回転させれば同極同士を対向させることができ、蓋２が外れ易くなる。蓋２を被せるときに両磁石の同極同士が対向するときは蓋２を回転させて異極同士を対向させて蓋２が容器本体１（ポンプカバー８）に吸引され易くすることができる。
【００３５】
図８（ａ）の磁石１４は、ポンプカバー８を例えばアルミ製とか他の非透視材製にして、外部から見えないようにするとか、これとは逆にポンプカバー８を透明或は半透明の材質製にして外部から見えるようにすることもできる。また、磁石１５は、蓋２を例えばアルミ製とか他の非透視材製とすることにより、蓋２の外部から磁石１５が見えないようにしたり、蓋２を透明或は半透明の材質製にして蓋２の外から磁石１５が見えるようにしたりすることもできる。
【００３６】
本実施形態のポンプ及び蓋付き容器の構造は、図８（ａ）に示すような上部８ｂが下方拡がりのいわゆる富士山型のポンプカバー８の場合には限られず、図８（ｂ）に示すような上部８ｂが円弧状に膨らんでいるいわゆるドーム型のポンプカバー８の場合にも同様に適用することができる。
【００３７】
（実施形態９）
本発明のポンプ及び蓋付き容器においては、図９に示すように、容器本体１側の磁石１４をポンプカバー８の上部８ｂの外側に、蓋２側の磁石１５を蓋２の内側面２ｃに夫々備えることもできる。図９のポンプカバー８の上部８ｂの外側は、磁石１４を配置できるように、矩形に形成されている。また、蓋２は、内側面２ｃに磁石１５を取付けられるように、中段部より下方の径を大きくしてある。磁石１４及び磁石１５は、前記図２（ｂ）に示すリング状磁石と同様のものである。この場合、蓋２の内側面２ｃの磁石１５と、ポンプカバー８の上部８ｂの外側の磁石１４の異極同士が対向すれば両磁石の吸引力により蓋２が容器本体１側（ポンプカバー８）に固定されるため、蓋２を被せるときは磁石の異極同士を対向させるのがよい。逆に、両磁石の同極同士が対向すれば両磁石の反発力により蓋２が容器本体１（ポンプカバー８）から押し上げられるため、蓋２を取外すときは蓋２を回転させれば同極同士を対向させることができ、蓋２が外れ易くなる。蓋２を被せるときに両磁石の同極同士が対向するときは蓋２を回転させて異極同士を対向させて蓋２が容器本体１（ポンプカバー８）に吸引され易くすることができる。
【００３８】
図９の磁石１４は、ポンプカバー８の上部８ｂの外側に取付けられて、外部から見えるようにしてある。また、磁石１５は、蓋２を例えばアルミ製とか他の非透視材製とすることにより、蓋２の外部から磁石１５が見えないようにしたり、蓋２を透明或は半透明の材質製にして蓋２の外から磁石１５が見えるようにしたりすることもできる。
【００３９】
（実施形態１０）
本発明のポンプ及び蓋付き容器においては、図１０（ａ）に示すように、容器本体１側の磁石１４を装着部６の側面部６ｂとポンプカバー８の内側との隙間に形成される空間１８に、蓋２側の磁石１５を蓋２の内側面２ｃに夫々備えることもできる。図１０（ａ）のポンプカバー８は、装着部６の側面部６ｂに磁石１４を配置できるように、大径に形成されている。また、蓋２は、内側面２ｃに磁石１５を取り付けられるように、中段部より下方の径を大きくしてある。磁石１４及び磁石１５は、前記図２（ｂ）に示すリング状磁石と同様のものである。この場合、図１０（ａ）の蓋２の内側面２ｃの磁石１５と、空間１８内の磁石１４の異極同士が対向すれば両磁石の吸引力により蓋２が容器本体１側（ポンプカバー８）に固定されるため、蓋２を被せるときは磁石の異極同士を対向させるのがよい。逆に、両磁石の同極同士が対向すれば両磁石の反発力により蓋２が容器本体１（ポンプカバー８）から押し上げられるため、蓋２を取外すときは蓋２を回転させれば同極同士を対向させることができ、蓋２が外れ易くなる。蓋２を被せるときに両磁石の同極同士が対向するときは蓋２を回転させて異極同士を対向させて蓋２が容器本体１（ポンプカバー８）に吸引され易くすることができる。
【００４０】
図１０（ａ）の磁石１４は、ポンプカバー８を例えばアルミ製とか他の非透視材製にして、外部から見えないようにするとか、これとは逆にポンプカバー８を透明或は半透明の材質製にして外部から見えるようにすることもできる。また、磁石１５は、蓋２を例えばアルミ製とか他の非透視材製とすることにより、蓋２の外部から磁石１５が見えないようにしたり、蓋２を透明或は半透明の材質製にして蓋２の外から磁石が見えるようにしたりすることもできる。
【００４１】
図１０（ｂ）に示すように、装着部６の側面部６ｂに磁石１４を収容するための溝１９を形成し、その溝１９内に磁石１４を収容することもできる。その場合、図１０（ｂ）に示すように、ポンプカバー８は、大径のものを用いる必要はなく、空間１８を形成する必要もない。
【００４２】
（その他の実施形態）
本発明のポンプ及び蓋付き容器は、蓋をポンプカバーに被せる構造のものに限られず、蓋を容器本体の口部外周に直接被せて容器本体の口部を被覆して閉塞する構造のものとすることも可能である。
【００４３】
装着部、チューブ、ボタン、ポンプカバー、ボタンカバー、蓋等の各部品は、いずれも樹脂製、金属製等、任意の素材製とすることができる。もっとも、これら部品は、磁石を効果的に機能させるために、透磁性を有する素材製とすることが望ましい。
【００４４】
本発明のポンプ及び蓋付き容器は、前記各実施形態に示すようなポンプを備えるものには限られず、例えば容器本体の口部を閉塞する中蓋を備える構造の容器とすることができる。また、蓋によって直接容器本体の口部を被覆する構造の容器とすることも可能である。
【００４５】
本発明のポンプ及び蓋付き容器の磁石の位置や、蓋やポンプの取付け構造等は、前記したものには限られず、任意とすることができる。
【産業上の利用可能性】
【００４６】
本発明のポンプ及び蓋付き容器は、液状化粧品収容用のものには限られず、飲料、薬品等、他の任意の液体や固体等を収容可能なものとするなど、様々な産業分野で利用することができる。
【図面の簡単な説明】
【００４７】
【図１】本発明のポンプ及び蓋付き容器の実施形態の一例を示す正面断面図。
【図２】（ａ）は、本発明のポンプ及び蓋付き容器の第２の実施形態例を示す正面断面図。（ｂ）は、（ａ）に示すポンプ及び蓋付き容器に用いるリング状磁石を示す斜視説明図。
【図３】本発明のポンプ及び蓋付き容器の第３の実施形態例を示す正面断面図。
【図４】本発明のポンプ及び蓋付き容器の第４の実施形態例を示す正面断面図。
【図５】本発明のポンプ及び蓋付き容器の第５の実施形態例を示す正面断面図。
【図６】本発明のポンプ及び蓋付き容器の第６の実施形態例を示す正面断面図。
【図７】本発明のポンプ及び蓋付き容器の第７の実施形態例を示す正面断面図。
【図８】（ａ）は、本発明のポンプ及び蓋付き容器の第８の実施形態例を示す正面断面図。（ｂ）は、（ａ）に示すポンプ及び蓋付き容器の他の実施形態例を示す正面断面図。
【図９】本発明のポンプ及び蓋付き容器の第９の実施形態例を示す正面断面図。
【図１０】（ａ）は、本発明のポンプ及び蓋付き容器の第１０の実施形態例を示す正面断面図。（ｂ）は、（ａ）に示すポンプ及び蓋付き容器の他の実施形態例を示す正面断面図。
【図１１】従来の蓋付き容器の実施形態例を示す斜視図。
【符号の説明】
【００４８】
１  容器本体
２  蓋
４  口部
５  ポンプ
６  装着部
７  チューブ
８  ポンプカバー
９  ボタン
１０  ボタンカバー
１１  出口
１２  挿通孔
１４  磁石（容器本体側）
１５  磁石（蓋側）
１６  内板
【手続補正書】
【提出日】平成18年11月6日(2006.11.6)
【手続補正１】
【補正対象書類名】特許請求の範囲
【補正対象項目名】全文
【補正方法】変更
【補正の内容】
【特許請求の範囲】
【請求項１】
容器本体とその上部に脱着可能な蓋を備え、容器本体はボタンを押すと容器本体内の液体を吐出或は噴霧するポンプを備え、ポンプは装着部が容器本体の口部外周に装着されチューブが容器本体内に差込まれボタンが容器本体の上方に突設され、前記装着部の外周にダボ無しの金属製のポンプカバーが被せられ、ボタンの上にボタンカバーが被せられ、ボタンカバーを押すと容器本体内の液体がボタンカバーの外に開口する出口から吐出或は噴霧され、前記蓋の天井内面とボタンカバーの上面との間にカバー空間があり、前記ボタンカバーの天井内面とボタン上面との間にボタン空間があり、前記蓋の天井内面とボタンカバーの天井内面の双方に磁石が異極同士対向するように固定され、前記蓋の天井内面に固定された磁石は前記カバー空間内に収まり且つボタンカバーに接触しない大きさであり、前記ボタンカバーの天井内面に固定された磁石は前記ボタン空間内に収まる大きさであり、前記蓋をボタンカバーの上から前記ポンプカバーの外周に被せると前記磁石同士の吸引により蓋の下端がポンプカバーの下端部まで引き下げられてボタンカバー及びポンプカバーの外周が被覆され、蓋と容器本体が吸引固定されるようにしたことを特徴とするポンプ及び蓋付き容器。
【請求項２】
容器本体とその上部に脱着可能な蓋を備え、容器本体はボタンを押すと容器本体内の液体を吐出或は噴霧するポンプを備え、ポンプは装着部が容器本体の口部外周に装着され、チューブが容器本体内に差込まれ、ボタンが容器本体の上方に突設され、前記装着部の外周にダボ無しの金属製のポンプカバーが被せられ、ボタンの上にボタンカバーが被せられ、ボタンカバーを押すと容器本体内の液体がボタンカバーの外に開口する出口から吐出或は噴霧され、前記蓋の天井内面とボタンカバーの上面との間に空間があり、前記ボタンカバーの天井内面とボタン上面との間にボタン空間があり、前記蓋の天井内面とボタンカバーの天井内面のいずれか一方に磁石が固定され、他方は磁石を設けずに磁性体製とし、前記蓋の天井内面に固定された磁石は前記カバー空間内に収まり且つボタンカバーに接触しない大きさであり、前記ボタンカバーの天井内面に固定された磁石は前記ボタン空間内に収まる大きさであり、前記蓋はボタンカバーの上から前記ポンプカバーの外周に被せると前記磁石と磁性体製のボタンカバー又はポンプカバーとの吸引により蓋の下端がポンプカバーの下端部まで引き下げられてボタンカバー及びポンプカバーの外周が被覆され、蓋が容器本体に吸引固定されるようにしたことを特徴とするポンプ及び蓋付き容器。
【請求項３】
容器本体とその上部に脱着可能な蓋を備え、容器本体はボタンを押すと容器本体内の液体を吐出或は噴霧するポンプを備え、ポンプは装着部が容器本体の口部外周に装着され、チューブが容器本体内に差込まれ、ボタンが容器本体の上方に突設され、前記装着部の外周にダボ無しの金属製のポンプカバーが被せられ、ボタンの上にボタンカバーが被せられ、ボタンカバーの上からボタンを押すと容器本体内の液体がボタンカバーの外に開口する出口から吐出或は噴霧され、前記蓋の天井内面とボタンカバーの上面との間に空間があり、前記ボタンカバーの天井内面とボタン上面との間にボタン空間があり、前記蓋の天井内面とボタンカバーの天井内面の双方に磁石が固定され、前記蓋の天井内面に固定された磁石は前記カバー空間内に収まり且つボタンカバーに接触しない大きさであり、前記ボタンカバーの天井内面に固定された磁石は前記ボタン空間内に収まる大きさであり、蓋の磁石はリング状であってその周方向にＮ極とＳ極を備えたものであるか又は二以上が蓋の周方向に配置され、ボタンカバーの磁石はリング状であってその周方向にＮ極とＳ極を備えたものであるか又は二以上が蓋の周方向に配置され、前記蓋はボタンカバーの上から前記ポンプカバーの外周に被せて両磁石の異極同士が対向或いは接近させると両磁石が互いに吸引して蓋の下端がポンプカバーの下端部まで引き下げられてポンプを被覆すると共に蓋と容器本体が吸引固定され、容器本体と吸引固定されている蓋を廻して両磁石の同極同士を対向或いは接近させると両磁石が反発して容器本体から外れる方向に押されるようにしたことを特徴とするポンプ及び蓋付き容器。
【手続補正２】
【補正対象書類名】明細書
【補正対象項目名】全文
【補正方法】変更
【補正の内容】
【発明の詳細な説明】
【技術分野】
【０００１】
本発明は液状化粧品、洗顔液、香水といった各種液体を収容可能なポンプ及び蓋付き容器に関するものである。
【背景技術】
【０００２】
従来の前記蓋付き容器は図１１に示すように、液体を収容可能な容器本体Ａと、容器本体Ａの口部Ｂの外周に被せてその口部Ｂを被覆する蓋Ｃとを備えている。容器によっては容器本体Ａの口部ＢにポンプＤを取り付け、そのポンプＤを指先で押すと容器本体Ａ内の液体がポンプ出口Ｅから吐出或は噴霧されるようにしたものもある。また、ポンプＤの裾の外周又は容器本体Ａの口部Ｂの裾の外周に小さな突起（ダボ）Ｆを突設して、口部Ｂの外周に被せた蓋ＣがダボＦの外側に被さって（ダボＦが蓋Ｃの内側に圧入して）容器本体Ａに固定されるようにしてある。
【発明の開示】
【発明が解決しようとする課題】
【０００３】
従来の蓋付き容器は前記のようにダボを設けて容器本体に被せた蓋を固定するようにしたため次のような課題がある。
（１）蓋を容器本体に着脱するときに蓋がダボの外側に被さるように、蓋を強く押さなければならず面倒であり、押しが中途半端であると蓋の被さりが不十分になる。この場合は、バッグに入れて携帯中に蓋が外れてバッグの内部が汚れるとか、バッグ内に収容されている他の品物が汚れるといった面倒があった。
（２）蓋を容器本体に着脱するときにダボと蓋の内側が擦れて金属粉が発生し、それが容器本体や蓋に付着して付着部分が黒ずむことがあり見栄えが悪くなる。また、容器本体や蓋に付着した金属粉が化粧する手に付着して化粧しにくくなることもある。
（３）蓋を容器本体に着脱するときにダボと蓋の内側の摩擦によって蓋や口部が変色したり、ひび割れしたりして、化粧瓶としての体裁が悪くなる。
（４）ダボの凹凸が化粧瓶の外観を損なう場合もある。
（５）ダボの突出寸度（高さ）が少しでも高いと蓋を脱着し難くなり、少しでも低いと蓋の固定が不十分になって外れ易くなるため、ダボの突出寸度には高精度の加工が求められる。しかし、高精度の加工は手間が掛かり、熟練が必要であり、コスト高になる。
【課題を解決するための手段】
【０００４】
本発明のポンプ及び蓋付き容器は前記した各種課題が無く、しかも、容器本体の開口部への蓋の脱着が容易、確実で、外観の体裁も良く、製造も容易でコスト減にも資するものである。
【０００５】
本件発明のポンプ及び蓋付き容器の一つは、請求項１記載のように、容器本体とその上部に脱着可能な蓋を備え、容器本体はボタンを押すと容器本体内の液体を吐出或は噴霧するポンプを備え、ポンプは装着部が容器本体の口部外周に装着されチューブが容器本体内に差込まれボタンが容器本体の上方に突設され、前記装着部の外周にダボ無しの金属製のポンプカバーが被せられ、ボタンの上にボタンカバーが被せられ、ボタンカバーを押すと容器本体内の液体がボタンカバーの外に開口する出口から吐出或は噴霧され、前記蓋の天井内面とボタンカバーの上面との間にカバー空間があり、前記ボタンカバーの天井内面とボタン上面との間にボタン空間があり、前記蓋の天井内面とボタンカバーの天井内面の双方に磁石が異極同士対向するように固定され、前記蓋の天井内面に固定された磁石は前記カバー空間内に収まり且つボタンカバーに接触しない大きさであり、前記ボタンカバーの天井内面に固定された磁石は前記ボタン空間内に収まる大きさであり、前記蓋をボタンカバーの上から前記ポンプカバーの外周に被せると前記磁石同士の吸引により蓋の下端がポンプカバーの下端部まで引き下げられてボタンカバー及びポンプカバーの外周が被覆され、蓋と容器本体が吸引固定されるようにした。
【０００６】
本件発明のポンプ及び蓋付き容器の他の一つは、請求項２記載のように、容器本体とその上部に脱着可能な蓋を備え、容器本体はボタンを押すと容器本体内の液体を吐出或は噴霧するポンプを備え、ポンプは装着部が容器本体の口部外周に装着され、チューブが容器本体内に差込まれ、ボタンが容器本体の上方に突設され、前記装着部の外周にダボ無しの金属製のポンプカバーが被せられ、ボタンの上にボタンカバーが被せられ、ボタンカバーを押すと容器本体内の液体がボタンカバーの外に開口する出口から吐出或は噴霧され、前記蓋の天井内面とボタンカバーの上面との間に空間があり、前記ボタンカバーの天井内面とボタン上面との間にボタン空間があり、前記蓋の天井内面とボタンカバーの天井内面のいずれか一方に磁石が固定され、他方は磁石を設けずに磁性体製とし、前記蓋の天井内面に固定された磁石は前記カバー空間内に収まり且つボタンカバーに接触しない大きさであり、前記ボタンカバーの天井内面に固定された磁石は前記ボタン空間内に収まる大きさであり、前記蓋はボタンカバーの上から前記ポンプカバーの外周に被せると前記磁石と磁性体製のボタンカバー又はポンプカバーとの吸引により蓋の下端がポンプカバーの下端部まで引き下げられてボタンカバー及びポンプカバーの外周が被覆され、蓋が容器本体に吸引固定されるようにした。
【０００７】
本件発明のポンプ及び蓋付き容器の他の一つは、請求項３記載のように、容器本体とその上部に脱着可能な蓋を備え、容器本体はボタンを押すと容器本体内の液体を吐出或は噴霧するポンプを備え、ポンプは装着部が容器本体の口部外周に装着され、チューブが容器本体内に差込まれ、ボタンが容器本体の上方に突設され、前記装着部の外周にダボ無しの金属製のポンプカバーが被せられ、ボタンの上にボタンカバーが被せられ、ボタンカバーの上からボタンを押すと容器本体内の液体がボタンカバーの外に開口する出口から吐出或は噴霧され、前記蓋の天井内面とボタンカバーの上面との間に空間があり、前記ボタンカバーの天井内面とボタン上面との間にボタン空間があり、前記蓋の天井内面とボタンカバーの天井内面の双方に磁石が固定され、前記蓋の天井内面に固定された磁石は前記カバー空間内に収まり且つボタンカバーに接触しない大きさであり、前記ボタンカバーの天井内面に固定された磁石は前記ボタン空間内に収まる大きさであり、蓋の磁石はリング状であってその周方向にＮ極とＳ極を備えたものであるか又は二以上が蓋の周方向に配置され、ボタンカバーの磁石はリング状であってその周方向にＮ極とＳ極を備えたものであるか又は二以上が蓋の周方向に配置され、前記蓋はボタンカバーの上から前記ポンプカバーの外周に被せて両磁石の異極同士が対向或いは接近させると両磁石が互いに吸引して蓋の下端がポンプカバーの下端部まで引き下げられてポンプを被覆すると共に蓋と容器本体が吸引固定され、容器本体と吸引固定されている蓋を廻して両磁石の同極同士を対向或いは接近させると両磁石が反発して容器本体から外れる方向に押されるようにした。
【発明の効果】
【０００８】
本件出願のポンプ及び蓋付き容器は次のような効果がある。
（１）磁石の吸引力によって容器本体に被せるだけで蓋が容器本体側に固定されて、容器本体の口部を確実に被覆するため、蓋が携帯中に外れてバッグ内が汚れるとか、バッグ内の他の品物が汚れるといったことがない。
（２）ポンプカバーがダボ無しであるためポンプカバーの製造が容易であり、製造コストも低減する。
（３）ポンプカバーがダボ無しであるため、蓋とダボとの摩擦が起こらず、金属粉の発生により容器や蓋の変色、ひび割れ等が発生せず、それに伴う諸問題が一切ない。
（４）蓋や容器本体に備えた磁石の磁力によって容器本体に収容されている液体が活性化されたり、改質されたりして、化粧水や香水等の効果が向上することもあり得る。
【０００９】
本件出願のポンプ及び蓋付き容器は、容器本体に蓋を被せると互いに対向するように設けられた磁石を対向面にＮ極とＳ極の両極を備えたものとし、容器本体とそれに被せた蓋はそれら磁石の異極同士が対向すると吸引固定され、同極同士が対向すると反発するようにしたので、上記各効果の他に次のような効果もある。
（１）容器本体に被せる蓋を回転させて、容器本体と蓋の磁石の異極同士を対向させれば、磁石の吸引力で蓋が容器本体に吸引固定されるため、容器本体への蓋の吸引固定が容易且つ確実になる。また、容器本体及び蓋に余計な負担が掛からず、容器本体も蓋も長持ちする。
（２）容器本体から取り外す蓋を回転させて、容器本体と蓋の磁石の同極同士を対向させれば、磁石の反発力で蓋が容器本体から押し上げられるため、蓋の取り外しが容易且つ確実になる。また、容器本体及び蓋に余計な負担が掛からず、容器本体も蓋も長持ちする。
【００１０】
【発明を実施するための最良の形態】
【００１１】
（実施形態１）
本発明のポンプ及び蓋付き容器の実施形態の一例を、図１を参照して詳細に説明する。図１のポンプ及び蓋付き容器は香水や化粧水といった液体を収容する容器本体１とそれに被せる蓋２を備えたものであり、容器本体１はその上部に形成された口部４にポンプ５の装着部６が装着され、ポンプ５のチューブ７が容器本体１内に差込まれ、ポンプ５の頭部のボタン９を指で押すと容器本体１内の液体がチューブ７内に吸引されてボタン９の出口１１から吐出或は噴霧（以下両者をまとめて「噴出」という。）され、前記容器本体１側と蓋２側に夫々磁石１４、１５を取付けて、蓋２を容器本体１の口部４の外側に被せると、容器本体１側の磁石１４と蓋２側の磁石１５とが吸引しあって蓋２が容器本体１に固定されるようにしてある。
【００１２】
容器本体１は上部に細い口部４が形成され、口部４の外周面にネジ４ａが形成されている。容器本体１は液体を収容可能であって、ポンプ５を取付け可能なものであれば、任意のデザイン、大きさのものを用いることができ、材質もガラス製、金属製、樹脂製等の任意の材料製とすることができる。容器本体１に収容する液体は液状、乳液状といったどのようなものでもよい。
【００１３】
ポンプ５は容器本体１内の液体を吸引してボタン９の出口１１から噴出するものであり、原理は既存のこの種のポンプと同様のもの或はそれを改良したものであり、容器本体１の口部４に装着する装着部６内に吸引機構２０が設けられ、吸引機構２０にチューブ７の上部が連結され、チューブ７の下部が装着部６の下方に突出して容器本体１内に差込まれるようにしてあり、吸引機構２０の上部にボタン９が設けられ、そのボタン９を押すと容器本体１内の液体を吸引して、ボタン９の出口１１から液体が噴出されるようにしてある。このポンプ５の装着部６、ボタン９、チューブ７は樹脂製であり、装着部６の外周にポンプカバー８を、ボタン９の外周にボタンカバー１０を被せてある。これらポンプカバー８、ボタンカバー１０はアルミ製、他の金属製、他の材質製とすることができ、外周面に塗装や蒸着等の手段で化粧膜が形成されたものを使用することができる。ポンプカバー８は図１のようにダボ無しである。このポンプ５は前記装着部６の内周面に形成されたネジ２１が、容器本体１の口部４のネジ４ａにネジ嵌合されて口部４に装着されている。
【００１４】
前記蓋２は図１に示すように底面開口の縦長円筒形であり、容器本体１の口部４の上から被せると容器本体１に取付けられたポンプ５を被覆できるようにしてある。
【００１５】
図１の容器本体１側の磁石１４はボタンカバー１０の天井内面１０ａに取付けられ、そのボタンカバー１０内にボタン９を圧入固定して磁石１４がボタン９の上方の空間１３内に収容してある。この場合、ボタンカバー１０を例えばアルミ製とか他の非透視材製にして、蓋２を取外しても外部から見えないようにするとか、これとは逆にボタンカバー１０を透明或は半透明の材質製にして蓋２を取外すと外部から見えるようにすることもできる。
【００１６】
図１の蓋２側の磁石１５は蓋２の天井内面２ａに取付けられ、その下に内板１６を圧入固定して磁石１５を被覆してある。この場合、蓋２と内板１６を例えばアルミ製とか他の非透視材製とすることにより、蓋２の内部を覗いても磁石１５が外部から見えないようにしたり、蓋２を透明或は半透明の材質製にして蓋２の外から磁石が見えるようにしたり、内板１６を透明或は半透明の材質製にして蓋２の内側を覗くと磁石が見えるようにしたりすることもできる。
【００１７】
前記した両磁石１４、１５は互いに吸引する極性（両磁石の対向面がＮ、Ｓ）に配置固定されて、蓋２をポンプカバー８の上からその外周に被せると両磁石が互いに吸引し合って、蓋２の下端がポンプカバー８の下端部８ａまで自動的に引き下げられてポンプ５が被覆され、容器本体１の口部４が確実に閉塞されるようにしてある。図１に示す磁石１４はボタン型であるが、磁石１４の形状はそれに限られず他の任意形状とすることができる。
【００１８】
図２（ａ）（ｂ）に示すポンプ及び蓋付き容器について以下に説明する。この容器本体１もポンプ５、蓋２を備えることにおいて実施形態１記載のポンプ及び蓋付き容器と共通する。異なるのは図２（ａ）に示すように容器本体１側の磁石１４がポンプカバー（ダボ無し）８の下端部８ａの内側に、蓋２側の磁石１５が蓋２の下端部２ｂの内側に設けられたことである。図２（ａ）のポンプカバー８は、その下端部８ａが外側広がりに形成されて、その内側に磁石１４が収容できるようにしてある。また、蓋２もその下端部２ｂが外側広がりに形成されて、その内側の空間内に磁石１５を収容できるようにしてある。前記磁石１４と磁石１５の夫々は図２（ｂ）に示すようなリング状の磁石であって、周方向にＮ極とＳ極を備えている。この場合、蓋２の下端の磁石１５とポンプカバー８の下端の磁石１４の異極同士が対向すれば両磁石の吸引力により蓋２が容器本体１側（ポンプカバー８）に固定されるため、蓋２を被せるときは磁石の異極同士を対向させるのがよい。逆に、両磁石の同極同士が対向すれば両磁石の反発力により蓋２が容器本体１（ポンプカバー８）から押し上げられるため、蓋２を取外すときは蓋２を回転させれば同極同士を対向させることができ、蓋２が外れ易くなる。蓋２を被せるときに両磁石の同極同士が対向するときは蓋２を回転させて異極同士を対向させて蓋２が容器本体１（ポンプカバー８）に吸引され易くすることができる。
【００１９】
図２（ａ）の磁石１４は、ポンプカバー８を例えばアルミ製とか他の非透視材製にして、外部から見えないようにするとか、これとは逆にポンプカバー８を透明或は半透明の材質製にして外部から見えるようにすることもできる。また、磁石１５は、蓋２を例えばアルミ製とか他の非透視材製とすることにより、蓋２の外部から磁石１５が見えないようにしたり、蓋２を透明或は半透明の材質製にして蓋２の外から磁石１５が見えるようにしたりすることもできる。
【００２０】
また、磁石１４及び磁石１５は、図２（ｂ）に示すリング状の磁石には限られず、小型のボタン状の磁石を、ポンプカバー８の下端部８ａの内側及び蓋２の下端部２ｂの内側に周方向に複数個ずつ取付けることもできる。その場合、磁石は、蓋２の下端部２ｂとポンプカバー８の下端部８ａの対向する部分に、Ｎ極とＳ極の両極が現れるように磁極を調整して取付ける。磁石１４及び磁石１５は、夫々の磁石の対向面にＮ極とＳ極の両極が備えられていれば、任意のものを用いることができる。
【００２１】
図３に示すポンプ及び蓋付き容器は容器本体１側の磁石１４をボタンカバー１０の天井外面１０ｂに、蓋２側の磁石１５を蓋２の天井内面２ａに夫々備えることもできる。前記した両磁石１４、１５は互いに吸引する極性（両磁石の対向面がＮ、Ｓ）に配置固定されて、蓋２をポンプカバー８の上からその外周に被せると両磁石が互いに吸引し合って、蓋２の下端がポンプカバー（ダボ無し）８の下端部８ａまで自動的に引き下げられてポンプ５が被覆され、容器本体１の口部４が確実に閉塞されるようにしてある。図３に示す磁石１４はボタン型であるが、その他、磁石１４の形状はそれに限られず他の任意形状とすることができる。
【００２２】
図３の磁石１４は、ボタンカバー１０の天井外面１０ｂに取付けられているため、蓋２を取外すと外部から見える。また、磁石１５は、蓋２を例えばアルミ製とか他の非透視材製とすることにより、蓋２の外部から磁石１５が見えないようにしたり、蓋２を透明或は半透明の材質製にして蓋２の外から磁石１５が見えるようにしたりすることもできる。また、前記図１のような内板１６を蓋２の内側に備え、その内板１６を非透視材製とすることにより、蓋２の内部を覗いても磁石１５が外部から見えないようにしたり、内板１６を透明或は半透明の材質製にして蓋２の内側を覗くと磁石１５が見えるようにしたりすることもできる。
【００２３】
（実施形態２）
本発明のポンプ及び蓋付き容器の実施形態２を図４に示す。このポンプ及び蓋付き容器は容器本体１側の磁石１４をボタンカバー１０の天井内面１０ａに、蓋２側の磁石１５を蓋２の天井内面２ａに夫々備えることもできる。ボタンカバー１０の天井内面１０ａに固定された磁石１４は、ボタン９の上面とボタンカバー１０の天井内面１０ａとの間に形成された空間１３内に収容される。図４の磁石１４及び磁石１５は、前記図２（ｂ）に示すリング状磁石と同様のものである。この場合、蓋２の天井内面２ａの磁石１５とボタンカバー１０の天井内面１０ａの磁石１４の異極同士が対向すれば両磁石の吸引力により蓋２が容器本体１側（ボタンカバー１０）に固定されるため、蓋２を被せるときは磁石の異極同士を対向させるのがよい。逆に、両磁石の同極同士が対向すれば両磁石の反発力により蓋２が容器本体１（ボタンカバー１０）から押し上げられるため、蓋２を取外すときは蓋２を回転させれば同極同士を対向させることができ、蓋２が外れ易くなる。蓋２を被せるときに両磁石の同極同士が対向するときは蓋２を回転させて異極同士を対向させて蓋２が容器本体１（ボタンカバー１０）に吸引され易くすることができる。
【００２４】
図４に示す、ボタンカバー１０の天井内面１０ａの磁石１４は、ボタンカバー１０を例えばアルミ製とか他の非透視材製にして、蓋２を取外しても外部から見えないようにするとか、これとは逆にボタンカバー１０を透明或は半透明の材質製にして蓋２を取外すと外部から見えるようにすることもできる。また、蓋２の天井内面２ａの磁石１５は、蓋２を例えばアルミ製とか他の非透視材製とすることにより、蓋２の外部から磁石１５が見えないようにしたり、蓋２を透明或は半透明の材質製にして蓋２の外から磁石１５が見えるようにしたりすることもできる。また、前記図１のような内板１６を蓋２の内側に備え、その内板１６を非透視材製とすることにより、蓋２の内部を覗いても磁石１５が外部から見えないようにしたり、内板１６を透明或は半透明の材質製にして蓋２の内側を覗くと磁石１５が見えるようにしたりすることもできる。
【００２５】
また、磁石１４及び磁石１５は、図２（ｂ）に示すリング状の磁石には限られず、小型のボタン状の磁石を、ボタンカバー１０の天井内面１０ａ及び蓋２の天井内面２ａに周方向に複数個ずつ取付けることもできる。その場合、磁石は、蓋２の天井内面２ａとボタンカバー１０の天井内面１０ａの対向する部分に、Ｎ極とＳ極の両極が現れるように磁極を調整して取付ける。その他、磁石１４及び磁石１５は、夫々の磁石の対向面にＮ極とＳ極の両極が備えられていれば、任意のものを用いることができる。
【００２６】
図５に示すポンプ及び蓋付き容器は、ポンプカバー（ダボ無し）８の下端部８ａの内側にのみ、リング状の磁石１４を備え、蓋２を、鉄、コバルト、ニッケルといった磁性体製としたものとすることもできる。この場合、磁性体製の蓋２をポンプ５に被せると、蓋２とポンプカバー８の下端部８ａの内側の磁石１４の吸引力によって、蓋２の下端がポンプカバー８の下端部８ａまで自動的に引き下げられて、容器本体１の口部４が確実に閉塞されるようにしてある。
【００２７】
図５の磁石１４は、ポンプカバー８を例えばアルミ製とか他の非透視材製にして、外部から見えないようにするとか、これとは逆にポンプカバー８を透明或は半透明の材質製にして外部から見えるようにすることもできる。
【００２８】
図５のポンプ及び蓋付き容器では、蓋２を底面開口の縦長円筒形の磁石製とすることもできる。その場合、蓋２の下端部２ｂに、Ｎ極とＳ極の両極を備えるようにし、ポンプカバー８の下端部の内側の磁石１４を図２（ｂ）に示すリング状の磁石とする。この場合、磁石製の蓋２の下端とポンプカバー８の下端の磁石１４の異極同士が対向すれば両磁石の吸引力により蓋２が容器本体１側（ポンプカバー８）に固定されるため、蓋２を被せるときは蓋２の下端部と磁石１４の異極同士を対向させるのがよい。逆に、蓋２の下端部と磁石１４の同極同士が対向すれば両磁石の反発力により蓋２が容器本体１（ポンプカバー８）から押し上げられるため、蓋２を取外すときは蓋２を回転させれば同極同士を対向させることができ、蓋２が外れ易くなる。蓋２を被せるときに蓋２の下端部と磁石１４の同極同士が対向するときは蓋２を回転させて異極同士を対向させて蓋２が容器本体１（ポンプカバー８）に吸引され易くすることができる。
【００２９】
（実施形態３）
本発明のポンプ及び蓋付き容器の実施形態３を図６に示す。このポンプ及び蓋付き容器は蓋２の天井内面２ａにのみ、ボタン状の磁石１５を備え、ボタンカバー１０を、鉄、コバルト、ニッケルといった磁性体製としたものとすることもできる。この場合は、蓋２をポンプ５に被せると、蓋２の天井内面２ａの磁石１５と磁性体製のボタンカバー１０の吸引力によって、蓋２がポンプ５に被せられた状態で固定され、容器本体１の口部４が確実に閉塞される。
【００３０】
図６の蓋２の天井内面２ａの磁石１５は、蓋２を例えばアルミ製とか他の非透視材製とすることにより、蓋２の外部から磁石１５が見えないようにしたり、蓋２を透明或は半透明の材質製にして蓋２の外から磁石が見えるようにしたりすることもできる。また、前記図１のような内板１６を蓋２の内側に備え、その内板１６を非透視材製とすることにより、蓋２の内部を覗いても磁石１５が外部から見えないようにしたり、内板１６を透明或は半透明の材質製にして蓋２の内側を覗くと磁石が見えるようにしたりすることもできる。
【００３１】
本実施形態のポンプ及び蓋付き容器では、ボタンカバー１０を底面開口の円筒形の磁石製とすることもできる。その場合、ボタンカバー１０の上面１０ａの磁極と、蓋２の磁石１５の下面側の磁極とが逆になるように調整する。
【００３２】
図７に示すポンプ及び蓋付き容器は、容器本体１側の磁石１４をポンプカバー（ダボ無し）８の下端部８ａの外側に、蓋２側の磁石１５を蓋２の下端部２ｂの外側に夫々備えることもできる。図７のポンプカバー８の下端部８ａ及び蓋２の下端部２ｂは、夫々外側に磁石を取り付けられるように、外方へ拡げられている。この場合、ポンプカバー８の下端部８ａの磁石１４及び蓋２の下端部２ｂの磁石１５は、夫々外部から見える。図７の磁石１４及び磁石１５は、前記図２（ｂ）に示すリング状磁石と同様のものである。この場合、蓋２の下端部２ｂの外側の磁石１５とポンプカバー８の下端部８ａの外側の磁石１４の異極同士が対向すれば両磁石の吸引力により蓋２が容器本体１側（ポンプカバー８）に固定されるため、蓋２を被せるときは磁石の異極同士を対向させるのがよい。逆に、両磁石の同極同士が対向すれば両磁石の反発力により蓋２が容器本体１（ポンプカバー８）から押し上げられるため、蓋２を取外すときは蓋２を回転させれば同極同士を対向させることができ、蓋２が外れ易くなる。蓋２を被せるときに両磁石の同極同士が対向するときは蓋２を回転させて異極同士を対向させて蓋２が容器本体１（ポンプカバー８）に吸引され易くすることができる。
【００３３】
図７のポンプ及び蓋付き容器では、蓋２を磁性体製のものや、磁石製のものとすることもできる。その場合、図７に示す蓋２に取付けられた磁石１５を省略することもできる。
【００３４】
図８（ａ）に示すポンプ及び蓋付き容器は、容器本体１側の磁石１４を装着部６の上部６ａとポンプカバー（ダボ無し）８の上部８ｂの内側との隙間に形成される空間１７に、蓋２側の磁石１５を蓋２の内側面２ｃに夫々備えている。図８（ａ）の蓋２は、内側面に磁石１５を取り付けられるように、中段部より下方の径を大きくしてある。また、図８（ａ）のポンプカバー８は、上部８ｂが下方拡がりのいわゆる富士山型に形成されている。図８（ａ）の磁石１４及び磁石１５は、前記図２（ｂ）に示すリング状磁石と同様のものである。この場合、図８（ａ）の蓋２の内側面２ｃの磁石１５と、空間１７の磁石１４の異極同士が対向すれば両磁石の吸引力により蓋２が容器本体１側（ポンプカバー８）に固定されるため、蓋２を被せるときは磁石の異極同士を対向させるのがよい。逆に、両磁石の同極同士が対向すれば両磁石の反発力により蓋２が容器本体１（ポンプカバー８）から押し上げられるため、蓋２を取外すときは蓋２を回転させれば同極同士を対向させることができ、蓋２が外れ易くなる。蓋２を被せるときに両磁石の同極同士が対向するときは蓋２を回転させて異極同士を対向させて蓋２が容器本体１（ポンプカバー８）に吸引され易くすることができる。
【００３５】
図８（ａ）の磁石１４は、ポンプカバー８を例えばアルミ製とか他の非透視材製にして、外部から見えないようにするとか、これとは逆にポンプカバー８を透明或は半透明の材質製にして外部から見えるようにすることもできる。また、磁石１５は、蓋２を例えばアルミ製とか他の非透視材製とすることにより、蓋２の外部から磁石１５が見えないようにしたり、蓋２を透明或は半透明の材質製にして蓋２の外から磁石１５が見えるようにしたりすることもできる。
【００３６】
図８（ａ）に示すポンプ及び蓋付き容器の構造は、上部８ｂが下方拡がりのいわゆる富士山型のポンプカバー８の場合には限られず、図８（ｂ）に示すような上部８ｂが円弧状に膨らんでいるいわゆるドーム型のポンプカバー８の場合にも同様に適用することができる。
【００３７】
図９に示すポンプ及び蓋付き容器は、容器本体１側の磁石１４をポンプカバー（ダボ無し）８の上部８ｂの外側に、蓋２側の磁石１５を蓋２の内側面２ｃに夫々備えることもできる。図９のポンプカバー８の上部８ｂの外側は、磁石１４を配置できるように、矩形に形成されている。また、蓋２は、内側面２ｃに磁石１５を取付けられるように、中段部より下方の径を大きくしてある。磁石１４及び磁石１５は、前記図２（ｂ）に示すリング状磁石と同様のものである。この場合、蓋２の内側面２ｃの磁石１５と、ポンプカバー８の上部８ｂの外側の磁石１４の異極同士が対向すれば両磁石の吸引力により蓋２が容器本体１側（ポンプカバー８）に固定されるため、蓋２を被せるときは磁石の異極同士を対向させるのがよい。逆に、両磁石の同極同士が対向すれば両磁石の反発力により蓋２が容器本体１（ポンプカバー８）から押し上げられるため、蓋２を取外すときは蓋２を回転させれば同極同士を対向させることができ、蓋２が外れ易くなる。蓋２を被せるときに両磁石の同極同士が対向するときは蓋２を回転させて異極同士を対向させて蓋２が容器本体１（ポンプカバー８）に吸引され易くすることができる。
【００３８】
図９の磁石１４は、ポンプカバー８の上部８ｂの外側に取付けられて、外部から見えるようにしてある。また、磁石１５は、蓋２を例えばアルミ製とか他の非透視材製とすることにより、蓋２の外部から磁石１５が見えないようにしたり、蓋２を透明或は半透明の材質製にして蓋２の外から磁石１５が見えるようにしたりすることもできる。
【００３９】
図１０（ａ）に示すポンプ及び蓋付き容器は、容器本体１側の磁石１４を装着部６の側面部６ｂとポンプカバー（ダボ無し）８の内側との隙間に形成される空間１８に、蓋２側の磁石１５を蓋２の内側面２ｃに夫々備えたものである。図１０（ａ）のポンプカバー８は、装着部６の側面部６ｂに磁石１４を配置できるように、大径に形成されている。また、蓋２は、内側面２ｃに磁石１５を取り付けられるように、中段部より下方の径を大きくしてある。磁石１４及び磁石１５は、前記図２（ｂ）に示すリング状磁石と同様のものである。この場合、図１０（ａ）の蓋２の内側面２ｃの磁石１５と、空間１８内の磁石１４の異極同士が対向すれば両磁石の吸引力により蓋２が容器本体１側（ポンプカバー８）に固定されるため、蓋２を被せるときは磁石の異極同士を対向させるのがよい。逆に、両磁石の同極同士が対向すれば両磁石の反発力により蓋２が容器本体１（ポンプカバー８）から押し上げられるため、蓋２を取外すときは蓋２を回転させれば同極同士を対向させることができ、蓋２が外れ易くなる。蓋２を被せるときに両磁石の同極同士が対向するときは蓋２を回転させて異極同士を対向させて蓋２が容器本体１（ポンプカバー８）に吸引され易くすることができる。
【００４０】
図１０（ａ）の磁石１４は、ポンプカバー８を例えばアルミ製とか他の非透視材製にして、外部から見えないようにするとか、これとは逆にポンプカバー８を透明或は半透明の材質製にして外部から見えるようにすることもできる。また、磁石１５は、蓋２を例えばアルミ製とか他の非透視材製とすることにより、蓋２の外部から磁石１５が見えないようにしたり、蓋２を透明或は半透明の材質製にして蓋２の外から磁石が見えるようにしたりすることもできる。
【００４１】
図１０（ｂ）に示すように、装着部６の側面部６ｂに磁石１４を収容するための溝１９を形成し、その溝１９内に磁石１４を収容することもできる。その場合、図１０（ｂ）に示すように、ポンプカバー８は、大径のものを用いる必要はなく、空間１８を形成する必要もない。
【００４２】
【００４３】
【００４４】
【００４５】
【産業上の利用可能性】
【００４６】
本発明のポンプ及び蓋付き容器は、液状化粧品収容用のものには限られず、飲料、薬品等、他の任意の液体や固体等を収容可能なものとするなど、様々な産業分野で利用することができる。
【図面の簡単な説明】
【００４７】
【図１】本発明のポンプ及び蓋付き容器の実施形態の一例を示す正面断面図。
【図２】（ａ）は、本発明のポンプ及び蓋付き容器の第２の実施形態例を示す正面断面図。（ｂ）は、（ａ）に示すポンプ及び蓋付き容器に用いるリング状磁石を示す斜視説明図。
【図３】本発明のポンプ及び蓋付き容器の第３の実施形態例を示す正面断面図。
【図４】本発明のポンプ及び蓋付き容器の第４の実施形態例を示す正面断面図。
【図５】本発明のポンプ及び蓋付き容器の第５の実施形態例を示す正面断面図。
【図６】本発明のポンプ及び蓋付き容器の第６の実施形態例を示す正面断面図。
【図７】本発明のポンプ及び蓋付き容器の第７の実施形態例を示す正面断面図。
【図８】（ａ）は、本発明のポンプ及び蓋付き容器の第８の実施形態例を示す正面断面図。（ｂ）は、（ａ）に示すポンプ及び蓋付き容器の他の実施形態例を示す正面断面図。
【図９】本発明のポンプ及び蓋付き容器の第９の実施形態例を示す正面断面図。
【図１０】（ａ）は、本発明のポンプ及び蓋付き容器の第１０の実施形態例を示す正面断面図。（ｂ）は、（ａ）に示すポンプ及び蓋付き容器の他の実施形態例を示す正面断面図。
【図１１】従来の蓋付き容器の実施形態例を示す斜視図。
【符号の説明】
【００４８】
１  容器本体
２  蓋
４  口部
５  ポンプ
６  装着部
７  チューブ
８  ポンプカバー
９  ボタン
１０  ボタンカバー
１１  出口
１２  挿通孔
１４  磁石（容器本体側）
１５  磁石（蓋側）
１６  内板
【手続補正書】
【提出日】平成18年12月15日(2006.12.15)
【手続補正１】
【補正対象書類名】特許請求の範囲
【補正対象項目名】全文
【補正方法】変更
【補正の内容】
【特許請求の範囲】
【請求項１】
容器本体とその上部に脱着可能な蓋を備え、容器本体はボタンを押すと容器本体内の液体を吐出或は噴霧するポンプを備え、ポンプは装着部が容器本体の口部外周に装着されチューブが容器本体内に差込まれボタンが容器本体の上方に突設され、前記装着部の外周にダボ無しの金属製のポンプカバーが被せられ、ボタンの上にボタンカバーが被せられ、ボタンカバーを押すと容器本体内の液体がボタンカバーの外に開口する出口から吐出或は噴霧され、前記蓋の天井内面とボタンカバーの上面との間にカバー空間があり、前記ボタンカバーの天井内面とボタン上面との間にボタン空間があり、前記蓋の天井内面とボタンカバーの天井内面の双方に磁石が異極同士対向するように固定され、前記蓋の天井内面に固定された磁石は前記カバー空間内に収まり且つボタンカバーに接触しない大きさであり、前記ボタンカバーの天井内面に固定された磁石は前記ボタン空間内に収まる大きさであり、前記蓋をボタンカバーの上から前記ポンプカバーの外周に被せると前記磁石同士の吸引により蓋の下端がポンプカバーの下端部まで引き下げられてボタンカバー及びポンプカバーの外周が被覆され、蓋と容器本体が吸引固定されるようにしたことを特徴とするポンプ及び蓋付き容器。
【請求項２】
容器本体とその上部に脱着可能な蓋を備え、容器本体はボタンを押すと容器本体内の液体を吐出或は噴霧するポンプを備え、ポンプは装着部が容器本体の口部外周に装着され、チューブが容器本体内に差込まれ、ボタンが容器本体の上方に突設され、前記装着部の外周にダボ無しの金属製のポンプカバーが被せられ、ボタンの上にボタンカバーが被せられ、ボタンカバーを押すと容器本体内の液体がボタンカバーの外に開口する出口から吐出或は噴霧され、前記蓋の天井内面とボタンカバーの上面との間にカバー空間があり、前記ボタンカバーの天井内面とボタン上面との間にボタン空間があり、前記蓋の天井内面とボタンカバーの天井内面のいずれか一方に磁石が固定され、他方は磁石を設けずに磁性体製とし、前記蓋の天井内面に固定された磁石は前記カバー空間内に収まり且つボタンカバーに接触しない大きさであり、前記ボタンカバーの天井内面に固定された磁石は前記ボタン空間内に収まる大きさであり、前記蓋はボタンカバーの上から前記ポンプカバーの外周に被せると前記磁石と磁性体製のボタンカバー又はポンプカバーとの吸引により蓋の下端がポンプカバーの下端部まで引き下げられてボタンカバー及びポンプカバーの外周が被覆され、蓋が容器本体に吸引固定されるようにしたことを特徴とするポンプ及び蓋付き容器。
【請求項３】
容器本体とその上部に脱着可能な蓋を備え、容器本体はボタンを押すと容器本体内の液体を吐出或は噴霧するポンプを備え、ポンプは装着部が容器本体の口部外周に装着され、チューブが容器本体内に差込まれ、ボタンが容器本体の上方に突設され、前記装着部の外周にダボ無しの金属製のポンプカバーが被せられ、ボタンの上にボタンカバーが被せられ、ボタンカバーの上からボタンを押すと容器本体内の液体がボタンカバーの外に開口する出口から吐出或は噴霧され、前記蓋の天井内面とボタンカバーの上面との間にカバー空間があり、前記ボタンカバーの天井内面とボタン上面との間にボタン空間があり、前記蓋の天井内面とボタンカバーの天井内面の双方に磁石が固定され、前記蓋の天井内面に固定された磁石は前記カバー空間内に収まり且つボタンカバーに接触しない大きさであり、前記ボタンカバーの天井内面に固定された磁石は前記ボタン空間内に収まる大きさであり、蓋の磁石はリング状であってその周方向にＮ極とＳ極を備えたものであるか又は二以上が蓋の周方向に配置され、ボタンカバーの磁石はリング状であってその周方向にＮ極とＳ極を備えたものであるか又は二以上が蓋の周方向に配置され、前記蓋はボタンカバーの上から前記ポンプカバーの外周に被せて両磁石の異極同士が対向或いは接近させると両磁石が互いに吸引して蓋の下端がポンプカバーの下端部まで引き下げられてポンプを被覆すると共に蓋と容器本体が吸引固定され、容器本体と吸引固定されている蓋を廻して両磁石の同極同士を対向或いは接近させると両磁石が反発して容器本体から外れる方向に押されるようにしたことを特徴とするポンプ及び蓋付き容器。
【手続補正２】
【補正対象書類名】明細書
【補正対象項目名】０００６
【補正方法】変更
【補正の内容】
【０００６】
本件発明のポンプ及び蓋付き容器の他の一つは、請求項２記載のように、容器本体とその上部に脱着可能な蓋を備え、容器本体はボタンを押すと容器本体内の液体を吐出或は噴霧するポンプを備え、ポンプは装着部が容器本体の口部外周に装着され、チューブが容器本体内に差込まれ、ボタンが容器本体の上方に突設され、前記装着部の外周にダボ無しの金属製のポンプカバーが被せられ、ボタンの上にボタンカバーが被せられ、ボタンカバーを押すと容器本体内の液体がボタンカバーの外に開口する出口から吐出或は噴霧され、前記蓋の天井内面とボタンカバーの上面との間にカバー空間があり、前記ボタンカバーの天井内面とボタン上面との間にボタン空間があり、前記蓋の天井内面とボタンカバーの天井内面のいずれか一方に磁石が固定され、他方は磁石を設けずに磁性体製とし、前記蓋の天井内面に固定された磁石は前記カバー空間内に収まり且つボタンカバーに接触しない大きさであり、前記ボタンカバーの天井内面に固定された磁石は前記ボタン空間内に収まる大きさであり、前記蓋はボタンカバーの上から前記ポンプカバーの外周に被せると前記磁石と磁性体製のボタンカバー又はポンプカバーとの吸引により蓋の下端がポンプカバーの下端部まで引き下げられてボタンカバー及びポンプカバーの外周が被覆され、蓋が容器本体に吸引固定されるようにした。
【手続補正３】
【補正対象書類名】明細書
【補正対象項目名】０００７
【補正方法】変更
【補正の内容】
【０００７】
本件発明のポンプ及び蓋付き容器の他の一つは、請求項３記載のように、容器本体とその上部に脱着可能な蓋を備え、容器本体はボタンを押すと容器本体内の液体を吐出或は噴霧するポンプを備え、ポンプは装着部が容器本体の口部外周に装着され、チューブが容器本体内に差込まれ、ボタンが容器本体の上方に突設され、前記装着部の外周にダボ無しの金属製のポンプカバーが被せられ、ボタンの上にボタンカバーが被せられ、ボタンカバーの上からボタンを押すと容器本体内の液体がボタンカバーの外に開口する出口から吐出或は噴霧され、前記蓋の天井内面とボタンカバーの上面との間にカバー空間があり、前記ボタンカバーの天井内面とボタン上面との間にボタン空間があり、前記蓋の天井内面とボタンカバーの天井内面の双方に磁石が固定され、前記蓋の天井内面に固定された磁石は前記カバー空間内に収まり且つボタンカバーに接触しない大きさであり、前記ボタンカバーの天井内面に固定された磁石は前記ボタン空間内に収まる大きさであり、蓋の磁石はリング状であってその周方向にＮ極とＳ極を備えたものであるか又は二以上が蓋の周方向に配置され、ボタンカバーの磁石はリング状であってその周方向にＮ極とＳ極を備えたものであるか又は二以上が蓋の周方向に配置され、前記蓋はボタンカバーの上から前記ポンプカバーの外周に被せて両磁石の異極同士が対向或いは接近させると両磁石が互いに吸引して蓋の下端がポンプカバーの下端部まで引き下げられてポンプを被覆すると共に蓋と容器本体が吸引固定され、容器本体と吸引固定されている蓋を廻して両磁石の同極同士を対向或いは接近させると両磁石が反発して容器本体から外れる方向に押されるようにした。